(57)【要約】      （修正有）【課題】外部機能手段を受けるための血液処理機器を提供する。【解決手段】少なくとも１つのハウジング本体と、医療用流体を受けるためにハウジング本体に組み込まれる少なくとも１つのチャンバ（９、１５、２１、５７）と、医療用流体を受けるおよび／または伝導するためにハウジング本体に組み込まれる少なくとも１つの通路（１７、１９、４９）と、外部機能手段を通じて流れる流体を制御しあるいは調整するためにハウジング本体に全体的にあるいは部分的に組み込まれる少なくとも１つのバルブ手段（３５、３６、３９、４０、４７、５１、５３、６１）とを備える外部機能手段を備える。また、血液処理機器、および、外部機能手段によっておよび血液処理機器によってそれぞれ行なわれてもよい方法を特定する。【選択図】図１
2018008066.tif 000002
【特許請求の範囲】
【請求項１】
少なくとも１つのハウジング本体と、
医療用流体を受けるために前記ハウジング本体に組み込まれる少なくとも１つの静脈血液チャンバ（２１）と、
医療用流体を受けるおよび／または伝導するために前記ハウジング本体に組み込まれる少なくとも１つの通路（１７、１９、４９）と、
外部機能手段を通じて流れる流体を制御しまたは調整するために前記ハウジング本体に全体的にまたは部分的に組み込まれる少なくとも１つのバルブ手段（３５、３６、３９、４０、４７、５１、５３、６１）と、
を備え、
当該外部機能手段は、少なくとも１つの一体型の前記バルブ手段（３５、３６、３９、４０、４７、５１、５３、６１）の一部であるカバー手段をその表面の少なくとも１つに備え、
前記カバー手段は、その少なくとも一部が摩擦によっておよび／または形状閉塞によっておよび／または材料接続によって前記ハウジング本体に接続され、
当該外部機能手段は、血液処理のための単一利用のカセット（１０００）として構成されており、
当該外部機能手段が、少なくとも２つのポンプチューブセグメント（８８、９０）を備え、
前記少なくとも２つのポンプチューブセグメントのうち、一のポンプチューブセグメント（８８）は体外回路（３０００）の血液ローラポンプ（８７）との係合に用いられ、一のポンプチューブセグメント（９０）が前記体外回路（３０００）の代替物ローラポンプ（８９）との係合に用いられる、外部機能手段。
【請求項２】
前記血液ローラポンプ（８７）との係合に用いられる前記ポンプチューブセグメント（８８）が前記体外回路（３０００）の動脈部（９１）の一部であり、動脈部（９１）の少なくとも一部がカセット（１０００）を通じて延在する、請求項１に記載の外部機能手段。
【請求項３】
前記外部機能手段の使用態様において、前記ポンプチューブセグメント（９０）が前記ポンプチューブセグメント（８８）を超えて配置される、請求項１または２に記載の外部機能手段。
【請求項４】
前記ポンプチューブセグメント（８８、９０）は、前記外部機能手段の側面に配置される、請求項１〜３のいずれか一項に記載の外部機能手段。
【請求項５】
前記カバー手段が、少なくとも１つの外周溶着部（５）によって前記ハウジング本体に接続される、請求項１〜４のいずれか一項に記載の外部機能手段。
【請求項６】
前記カバー手段が、更なる非外周溶着部またはドット形状溶着部または局所的な溶着部によって前記ハウジング本体に接続される、請求項１〜５のいずれか一項に記載の外部機能手段。
【請求項７】
前記カバー手段が、２つの側でまたは双方で、前記外部機能手段の前記ハウジング本体と接続されている、請求項１〜６のいずれか一項に記載の外部機能手段。
【請求項８】
前記カバー手段がフィルム（３）である、請求項１〜７のいずれか一項に記載の外部機能手段。
【請求項９】
前記体外回路（３０００）と流体連通状態で接続するための接続部を備える、請求項１〜８のいずれか一項に記載の外部機能手段。
【請求項１０】
内部に収容される前記体外回路（３０００）の部分に、少なくとも１つの動脈カセット一体型チャンバと少なくとも１つの静脈カセット一体型チャンバとを備え、前記体外回路に存在する動脈圧および／または静脈圧を前記フィルム（３）の媒介によって測定できる、請求項８に記載の外部機能手段。
【請求項１１】
前記ハウジング本体に形成される少なくとも１つのバーと前記カバー手段の少なくとも一部とを備える少なくとも１つのバルブ手段（３６、４０、５１、５３、６１）を備え、前記バーおよび前記カバー手段が、血液処理機器の作用体によって動作されるように配置されており、前記作用体は前記カバー手段を介して前記バーに作用して流体の通路を変える、請求項１〜１０のいずれか一項に記載の外部機能手段。
【請求項１２】
前記バルブ手段（４０、５１、５３）が、使用状態において、水または代替物よりも高い密度を有する血液が上向きまたは横向きに貫通して開放された仮想バルブ（４０、５１、５３）とならないように、物理的に方向付けられる、請求項１１に記載の外部機能手段。
【請求項１３】
少なくとも一つのバルブ手段が逆止弁（３５、３９、４７）として設計されている、請求項１１または１２に記載の外部機能手段。
【請求項１４】
代替物導管（４９）、および、該代替物導管（４９）への代替物の付加のための逆止弁（４７）を備え、
前記代替物導管（４９）が逆止弁（４７）の下方に配置されるとともに濯ぐように構成される、請求項１３に記載の外部機能手段。
【請求項１５】
受入れ手段によって、血液処理機器に傾いて結合されるように構成されている、請求項１〜１４のいずれか一項に記載の外部機能手段。
【請求項１６】
前記受入れ手段によって、垂直線に対してほぼ８°または正確に８°の傾き角度で、血液処理機器に結合されるように構成されている、請求項１５に記載の外部機能手段。
【請求項１７】
接触保護要素および／または滴下保護要素を有する少なくとも１つの代替物付加部位（４１）を備える、請求項１〜１６のいずれか一項に記載の外部機能手段。
【請求項１８】
滴下保護要素が一体型閉塞スリーブによって実現される、請求項１７に記載の外部機能手段。
【請求項１９】
前記ハウジング本体が硬質部（１）として構成される、請求項１〜１８のいずれか一項に記載の外部機能手段。
【請求項２０】
請求項１〜１９のいずれか一項に記載の少なくとも１つの外部機能手段を受けるように構成されることを特徴とする血液処理機器。
【請求項２１】
前記外部機能手段を駆動させるおよび／または動作させるための少なくとも１つの制御手段および／または作用体および／またはセンサと、少なくとも１つの外部機能手段を受けるための少なくとも１つの受入れ手段とを備え、
前記受入れ手段が前記外部機能手段を結合するための結合面を備える、請求項２０に記載の血液処理機器。
【請求項２２】
前記結合面が、血液処理機器のその使用中の方向に対するまたは地球の中心に対する垂直線に対して所定の角度で傾けられ、
前記角度が、５〜１１°である、請求項２１に記載の血液処理機器。
【請求項２３】
前記角度が、ほぼ８°または正確に８°である、請求項２２に記載の血液処理機器。
【請求項２４】
前記血液処理機器が透析機器である、請求項２０〜２３に記載の血液処理機器。
【請求項２５】
請求項１〜１９のいずれか一項に記載の外部機能手段の使用によって特徴付けられる、外部機能手段を充填し、またはプライミングし、または濯ぎを行うための方法。
【発明の詳細な説明】
【技術分野】
【０００１】
本発明は請求項１に係る外部機能手段に関する。また、本発明は、請求項１６、１７の前文に係る血液処理機器、および、請求項１８に係る方法に関する。
【背景技術】
【０００２】
血液処理で利用される器具の洗浄は技術的に複雑な場合がある。許容できる作業経費で十分な衛生状態を保証するため、および、他の理由のため、血液カセットなどの外部機能手段が使用される。
【０００３】
そのような血液カセットは、血液処理方法の前処理および実行のために可能な限り多くの機能を果たすように構成されている場合がある。
【発明の概要】
【発明が解決しようとする課題】
【０００４】
本発明の目的は、他の外部機能手段、特に血液処理カセットを提供することである。また、本発明は、同様の外部機能手段を備えあるいは外部機能手段を駆動させて動作させるように構成されている血液処理機器、および、その使用のための対応する方法を提案するように意図される。
【課題を解決するための手段】
【０００５】
本発明の目的は、請求項１の特徴を有する外部機能手段によって達成される。
【０００６】
外部機能手段は、少なくとも１つのハウジング本体と、医療用流体を受けるためにハウジング本体に組み込まれる少なくとも１つのチャンバと、医療用流体を受けるおよび／または伝導するためにハウジング本体に組み込まれる少なくとも１つの通路と、外部機能手段を通じて流れる流体を制御しあるいは調整するためにハウジング本体に全体的にあるいは部分的に組み込まれる少なくとも１つのバルブ手段とを備える。
【０００７】
ここで使用される表現「ハウジング本体」は、例えば血液処理方法などの医療処理方法で用いるのに適する材料、例えばプラスチック材料から形成される三次元本体を示す。ハウジング本体は、例えば、鋳造または射出成形方法によって製造されてもよい。
【０００８】
ここで使用される表現「チャンバ」は、少なくとも１つの医療用媒体を受けるのに適する容積を示す。容積は、閉じられた空間であってもよく、あるいは、そのような閉じられた空間によって画定されてもよい。しかしながら、容積は、開放空間であってもよく、あるいは、そのような開放空間によって部分的に取り囲まれてもよく、また、何らかの他の本体、すなわち、ハウジング本体以外の本体の存在の結果として単に閉じられた空間（または、流体のための供給導管および排出導管を除いて閉じられた空間）になるだけでもよい。
【０００９】
チャンバは、バルブおよび／またはセンサなどを受けるように構成されて意図されてもよい。
【００１０】
ここで使用される表現「通路」または「導管」は、例えば血液、ヘパリン、または、他の薬剤、生理食塩水溶液、代替物などの医療用流体を受けるおよび／または伝導するのに適する手段を示す。
【００１１】
通路または導管は、その一部が閉じられた構造および／または半開構造として構成されてもよい。通路または導管は、例えば、少なくとも１つの開放側でカバー手段により閉じられるように構成されていてもよく、したがって、例えば、血液処理機器の構成要素に対しておよび／または大気に対してシールできるように構成されてもよい。
【００１２】
ここで使用される表現「バルブ手段」は、外部機能手段の通路または導管および／またはチャンバを通じた流体の進入または通過を制御できる制御または調整に適した手段を示す。バルブ手段は、この目的のために設けられる制御手段または調整手段によって駆動されてもよい。駆動は例えば自動態様で行なわれる。適した制御手段または調整手段は例えば血液処理機器内または血液処理機器上に設けられてもよい。
【００１３】
本発明の外部機能手段の有利な実施形態または進展がそれぞれの添付の特許請求の範囲の主題である。
【００１４】
本発明の特定の実施形態によれば、機能手段は、ラインによる流体の伝導、バルブ、血栓捕捉などの機能および／または同様の機能を実現できる手段である。
【００１５】
本発明の幾つかの実施形態によれば、外部機能手段が処理機器の取り外し不能な部分ではない。むしろ、これらの実施形態に係る外部機能手段は、外部からの処理の目的で処理機器と接続される。
【００１６】
好ましい実施形態において、外部機能手段には、少なくとも１つの一体型バルブ手段の一部であるカバー手段がその表面の少なくとも１つに設けられる。
【００１７】
他の好ましい実施形態において、カバー手段は、その少なくとも一部が摩擦によっておよび／または形状閉塞によっておよび／または材料接続によってハウジング本体と接続される。カバー手段は、例えば、外周溶着部または何らかの他のタイプの外周接続部によってハウジング本体に接続されてもよい。カバー手段とハウジング本体との他の非外周またはドット形状または局部的な溶着または接続（例えば、接着接続または押圧接続）が行なわれてもよい。
【００１８】
本発明に係る特定の実施形態において、カバー手段は（その特定の範囲または領域がそれぞれ）、外部機能手段の構造（少なくとも１つの構造）の２つの側または双方のそれぞれに沿って、外部機能手段と接続され、特にハウジング本体と接続される。本発明によれば、用語「両側に沿ってあるいは両側で」または「双方向に」は、それぞれの構造の少なくとも２つの側に存在するものと理解されてもよい。双方接続は、特に近接した、構造の領域、特に隣接領域、または、環境あるいは周辺領域での少なくとも二重接続として理解されてもよい。
【００１９】
これらの構造の中には、特に流体チャネル、ライン、または、外部機能手段の他の要素がある。好ましくは、これらの要素は、カバー手段の主延在面に対して垂直な断面が開放し、および／または、カバー手段により外側または大気に対して覆われる。
【００２０】
双方接続が溶着線であってもよい。双方接続はいずれの場合にも流体密であり、それにより、例えば、流体、特に液体が接合領域（例えば、接着または溶着線が形成された領域）を通じて交換されない。双方接続は、例えば外部機能手段の選択された領域で、単一の流体チャネル、ライン、または、他の要素に沿って行なわれてもよい。そのため、双方接続は、その複数に関して、または、全ての流体チャネル、ライン、または、他の要素に関して行なうことができる。
【００２１】
双方接続は、それぞれの構造の左側および右側の両方で行なわれてもよい。双方接続は、構造に対して上下の両方などで行なうことができる。
【００２２】
双方接続は、少なくとも１つの構造またはその一部の境界または縁のそれぞれ、または外周または延在部に沿う１つ、２つ、または、それ以上の溶着線であってもよい。
【００２３】
双方接続の全体あるいは一部が長手方向に延在することができる。
【００２４】
本発明に係る特定の実施形態では、双方接続により、外部機能手段を押圧するために必要な複雑さを減らすことができ有益である。本発明に係る幾つかの実施形態では、特に、例えば血液処理機器に対する外部機能手段の押圧を行なうことができる精度のための要件を減らすことができ有益である。本発明に係る特定の実施形態では、双方接続に起因して、低い押圧力で十分となり得るため有益である。本発明に係る幾つかの実施形態では、双方接続によって覆われたチャネルに作用するバルブのより信頼できる機能を達成することができ有益である。
【００２５】
カバー手段は特にフィルムであってもよい。
【００２６】
フィルムは好ましくはプラスチックフィルムであってもよい。この目的のため、また、好ましい態様では、当業者に適していると思われる任意のレーザ溶着可能なフィルムが考慮されてもよい。
【００２７】
他の好ましい実施形態において、外部機能手段は、体外回路に流体連通状態で接続されるための接続部を備えてもよい。
【００２８】
外部機能手段は特に血液処理のためのカセットとして構成されてもよい。
【００２９】
更なる好ましい態様において、外部機能手段は、２つのコネクタにより少なくとも１つの（好ましくは２つの）蠕動ポンプに流体連通状態で接続されるように構成されていてもよい。ローラポンブが適した蠕動ポンプであってもよい。
【００３０】
外部機能手段は、少なくとも１つの（好ましくは２つの）ポンプチューブセグメントを備えてもよく、あるいは、そのようなポンプチューブセグメントを受けるように構成されあるいは設けられてもよい。
【００３１】
他の好ましい実施形態において、外部機能手段は、少なくとも１つのバーとカバー手段の一部とを備える少なくとも１つのバルブ手段を備える。バーはハウジング本体に形成される。バーおよびカバー手段は、バルブのような態様で流体の通路を変えるためにバーに作用する血液処理機器の作用体によって動作されるように配置される。
【００３２】
そのような「バー」は、外部機能手段に組み込まれあるいは外部機能手段の表面から任意の所望の方向に突出する構成要素を示してもよい。バーが外部機能手段と同じ材料から形成されてもよい。鋳造または射出成形方法による外部機能手段の製造中に例えばウェブが形成されてもよい。
【００３３】
他の好ましい実施形態において、その使用中に外部機能手段を通じて流れる流体は、代替物、ヘパリン、または、何らかの他の薬理学的に活性な薬剤、生理食塩水溶液（特に０．９％ＮａＣｌ溶液）、血液、空気、および、これらの組み合わせである。
【００３４】
外部機能手段は、特に、血液処理機器に結合されるように構成されていてもよい。更なる好ましい態様において、外部機能手段は、血液処理機器の受入れ手段によって血液処理機器に結合されるように構成されて意図されてもよい。外部機能手段は、特に、カバー手段に面する表面で処理機器に結合されるように構成されていてもよい。
【００３５】
他の好ましい実施形態において、外部機能手段は、垂直線に対して、好ましくは５°〜１１°の後方傾き角度で、特にほぼ８°または正確に８°の傾き角度で血液処理機器に結合されるように構成されていてもよい。外部機能手段は、（使用状態で）その上側領域が後方に傾けられることが好ましい。
【００３６】
他の好ましい実施形態において、外部機能手段は、接触保護要素および／または滴下保護要素を含む少なくとも１つの代替物付加部位を備える。外部機能手段の他の部分、特に全ての他の部分も接触保護要素および／または滴下保護要素を備えてもよい。
【００３７】
外部機能手段のポート（１つ、幾つか、あるいは、全てのポート）の閉塞機能が隔膜または逆止弁によって実現されてもよい。
【００３８】
滴下保護要素が例えば一体型閉塞スリーブによって実現されてもよい。
【００３９】
滴下保護要素は、好ましくは、代替物または血液または代替物と血液との混合物が外部機能手段の分解中に血液処理機器の受入れ手段から滴下するあるいは滴るのを防止する役目を果たしてもよい。このようにすると、使用される不純な外部機能手段の衛生的な取り扱いを処理機器の外側で更に確保することができる。
【００４０】
本発明に係る外部機能手段は、二本針アクセスまたは単針アクセスを使用する血液処理方法で用いるのに適してもよい。
【００４１】
患者の血液は、患者からの引き抜き段階中に透析装置を通じて既に導かれ、プロセスで透析され、透析装置のその通過後（好ましくは通過直後）に単針チャンバ内に保管され、そこから戻し段階で患者へ戻されることが好ましい。この場合、血液は、それが患者から出る「新鮮な」状態で透析される。したがって、本発明に係るカセットによる血液処理のために行なわれる方法は、血液が患者から引き出されて別個の単針チャンバ内に保管された後に透析されて静脈空気セパレータにより患者へ戻される従来の方法とは有利に異なる。
【００４２】
外部機能手段は、好ましくは、血液サージ変向要素が配置される少なくとも１つの単針チャンバを備えてもよい。
【００４３】
同様の「血液サージ変向要素」または血液サージ要素は、流れ減速を達成し、乱流をもたらしおよび／または単針チャンバに流入する血液を変向させ、あるいは、血液サージの衝撃を打ち消すのに適しかつそのように意図されてもよい。同様の血液サージ変向要素は、特に、流動学的に最適な態様で構成されてもよい。血液サージ変向要素は、例えば、その外周の少なくとも一部が単針チャンバの壁に接続される楕円形または円形の支柱の形状に構成されてもよい。
【００４４】
血液サージ変向要素がなければ、仮想バルブを通じて流入する血液サージが所定の場合に溢出を引き起こす場合がある。これは、液位のハンティング動作またはスロッシング動作をそれぞれをもたらす場合がありおよび／または泡の形成をもたらす場合がある。血液サージ要素により、血液サージ全体が２つの更に小さい血液サージへ分けられ、それにより、血液サージ全体の衝撃を打ち消すことができ、また、溢出、スロッシング動作、および／または、泡の形成を回避することができ有益である。
【００４５】
血液サージ変向要素として、２００９年６月１０日にドイツ特許商標局に出願された表題「Ａｕｆｎａｈｍｅｅｉｎｒｉｃｈｔｕｎｇ  ｚｕｍ  Ａｕｆｎｅｈｍｅｎ  ｖｏｎ  ｍｅｄｉｚｉｎｉｓｃｈｅｎ  Ｆｌｕｉｄｅｎ  ｓｏｗｉｅ  ｅｘｔｅｒｎｅ  Ｆｕｎｋｔｉｏｎｓｅｉｎｒｉｃｈｔｕｎｇ  ｕｎｄ  ｍｅｄｉｚｉｎｉｓｃｈｅ  Ｂｅｈａｎｄｌｕｎｇｓｖｏｒｒｉｃｈｔｕｎｇ」［Ｒｅｃｅｐｔｉｏｎ  ｍｅａｎｓ  ｆｏｒ  ｒｅｃｅｉｖｉｎｇ  ｍｅｄｉｃａｌ  ｆｌｕｉｄｓ，ａｓ  ｗｅｌｌ  ａｓ  ｅｘｔｅｒｎａｌ  ｆｕｎｃｔｉｏｎａｌ  ｍｅａｎｓ  ａｎｄ  ｍｅｄｉｃａｌ  ｔｒｅａｔｍｅｎｔ  ａｐｐａｒａｔｕｓ］を有する特許出願１０  ２００９  ０２４  ４６６．２で本発明の出願人により開示される血液サージ変向要素を使用できることが好ましい。その関連する開示内容は参照することにより全体が本願に組み入れられる。
【００４６】
本発明の外部機能手段は、好ましくは、少なくとも１つの静脈血液チャンバを備えてもよい。
【００４７】
単針チャンバは、好ましくは、外部機能手段のその使用中の方向に関して静脈血液チャンバの上側に配置されてもよい。
【００４８】
静脈血液チャンバは、ハウジング本体の断面制限部によって少なくとも１つの上側空間と少なくとも１つの下側空間とに分けられてもよい。
【００４９】
上側空間および下側空間が互いに流体連通しあるいは接続されてもよい。
【００５０】
上側空間は、外部機能手段を通じて流れる流体の接線方向流入を許容するあるいはもたらすように構成されてもよい。上側空間は、外部機能手段を通じて流れる流体の安定した回転流をもたらすための領域を備えてもよい。
【００５１】
下側空間は、外部機能手段を通じて流れる流体の回転流が実質的にないあるいは全くない領域を備えてもよい。
【００５２】
好ましい態様において、静脈血液チャンバの上側空間および／または下側空間の壁または壁部は、血液処理機器の垂直線に対する外部機能手段の傾きに適合されてもよい。これにより、血液が流動学的に最適な態様で静脈血液チャンバを流れあるいは流動しあるいは通過することができ有益である。また、血液中に場合により含まれる空気が上昇でき、したがって、該空気を適切な態様で分離できる。
【００５３】
静脈血液チャンバは、２００９年６月１０日にドイツ特許商標局に出願された表題「Ｌｕｆｔａｂｓｃｈｅｉｄｅｒ，ｅｘｔｅｒｎｅ  Ｆｕｎｋｔｉｏｎｓｅｉｎｒｉｃｈｔｕｎｇ，Ｂｌｕｔｋｒｅｉｓｌａｕｆ  ｓｏｗｉｅ  Ｂｅｈａｎｄｌｕｎｇｓｖｏｒｒｉｃｈｔｕｎｇ」［Ａｉｒ  ｓｅｐａｒａｔｏｒ，ｅｘｔｅｒｎａｌ  ｆｕｎｃｔｉｏｎａｌ  ｍｅａｎｓ，ｂｌｏｏｄ  ｃｉｒｃｕｉｔ，ａｎｄ  ｔｒｅａｔｍｅｎｔ  ａｐｐａｒａｔｕｓ］を有する特許出願１０  ２００９  ０２４  ４６５．４で本発明の出願人により開示されるように構成されて特に空気セパレータ効果を有してもよい。その関連する開示内容は参照することにより全体が本願に組み入れられる。
【００５４】
外部機能手段の他の好ましい実施形態では、ハウジング本体が硬質部として構成される。
【００５５】
硬質部は、実質的に１つの材料から一体に形成されるハウジング本体であってもよい。このハウジング本体が射出成形部品であってもよい。硬質部は、４００Ｎ／ｍｍ２よりも大きい最小剛性、好ましい態様では１２００〜１８００Ｎ／ｍｍ２の最小剛性（曲げ弾性係数）を有してもよい。
【００５６】
血液処理カセットとしての外部機能手段の他の好ましい実施形態では、更なる好ましい実施形態において、カバー手段またはフィルムにわたる透析装置の上流側の体外血液回路内の圧力を測定することができる。
【００５７】
外部機能手段は、好ましくは、１回使用された後に処分される使い捨て物品であってもよい。
【００５８】
本発明の目的は、請求項１６、１７に係る本発明の血液処理機器によっても達成される。
【００５９】
他の好ましい実施形態において、血液処理機器は、本発明に係る少なくとも１つの外部機能手段を受けるように構成される。
【００６０】
他の好ましい実施形態において、血液処理機器は、外部機能手段を駆動させるおよび／または動作させるための少なくとも１つの制御手段および／または作用体および／またはセンサを備える。
【００６１】
制御手段は、ＣＰＵまたはその一部として構成されてもよい。
【００６２】
制御手段および／または作用体は、バルブ手段を例えば動作させあるいは駆動させ、すなわち、例えば制御しあるいは調整するのに適しかつそのように意図されてもよい。制御手段および／または作用体は、その結合状態で外部機能手段のバルブ手段に対して反対の血液処理機器の位置に配置されてもよい。
【００６３】
他の好ましい実施形態において、血液処理機器は、本発明に係る少なくとも１つの外部機能手段を受けるための少なくとも１つの受入れ手段を備える。受入れ手段は、本発明に係る外部機能手段を結合するための結合面を備えてもよい。そのような結合面は、例えば、血液処理機器のその使用中の方向に対する垂直線に対して所定の角度で特に後方に傾けられてもよい。そのような角度は、５〜１１°、特にほぼ８°または正確に８°であってもよい。
【００６４】
血液処理機器は、以下で説明されるように、また、図面を参照することにより、方法または方法ステップを実行するのに適してもよい。
【００６５】
他の実施形態において、血液処理機器は、以下で説明されるように、また、図面を参照することにより、本発明に係る外部機能手段を動作させあるいは調整するためのおよび／または方法または方法ステップを実行するための、例えばＣＰＵの形態を成す、制御手段を備える。
【００６６】
また、血液処理機器は、本発明に係る方法または方法ステップを実行するために、本発明に係る外部機能手段またはその一部を動作させるための少なくとも１つの作用体を備えてもよい。
【００６７】
血液処理機器は、特に、情報プロバイダの形態を成すセンサを備えてもよく、この場合、情報は、本発明に係る方法または方法ステップを実行するための本発明に係る外部機能手段の動作のための制御ユニットに関する信号としての機能を果たす。
【００６８】
血液処理機器が例えば透析手段であってもよい。
【００６９】
血液処理機器は、血液処理カセットとして構成される本発明の外部機能手段の体外回路または血液回路に存在するパラメータ、例えば圧力、差圧などを測定するための制御手段を備えてもよい。
【００７０】
差圧は、カセット一体型動脈チャンバとカセット一体型静脈チャンバとの間で測定されてもよい。差圧は、透析装置の血液側圧力差のための指標として使用されてもよい。血液処理機器の制御手段は、差を計算するように構成され、所定の場合には圧力差を基準値（例えば制御手段またはメモリに記憶されてもよい）と比較するように構成されてもよく、随意的には制御信号を出力するように構成されてもよい。
【００７１】
ここでは、例えば、透析装置の詰まりの兆候を前もってあるいは時が来て認識することができ有益である。対抗措置がとられてもよい。
【００７２】
これらは、例えばカセット一体型付加部位による例えばヘパリンなどの抗凝血剤の付加を含みあるいは該付加から成ってもよい。
【００７３】
また、例えば、事前希釈を増大させることができる。事後希釈から事前希釈へ切り換えることができる。
【００７４】
また、カセット一体型測定部位は、透析膜にわたる膜貫通圧測定を可能にし有益である。
【００７５】
この目的のため、対応する手段によって測定が行なわれる４つの測定部位を設けられてもよく、その測定結果は、適した手段、すなわち、フィルタ入口にある手段およびフィルタ出口にある手段、すなわち、血液側にある手段および透析液側にある手段のそれぞれによって評価される。
【００７６】
本発明に係る幾つかの実施形態において、外部機能手段は、その特定の部分が、（少なくとも）結合面（または、その主面）に対して垂直な一方向で、他の部分よりも厚い。厚い部分は、そのうちの１つ以上を設けることができる、例えば光学測定装置、超音波装置、温度測定装置などの測定装置を受けるのに役立つ。
【００７７】
厚くはなく、主に好ましくは外部機能手段の主結合面と平行におよび／または処理機器のアクチュエータセンサ面と平行に外部機能手段の主延在面内で延在する外部機能手段の部分は、同じ効果を有することができる。外部機能手段を延ばすこれらの部分（１つ以上）を同様に厚くすることができるが、本発明によれば、これは必要ない。
【００７８】
測定装置は、そのドアにより、処理機器のドア側から処理機器と接続可能あるいは接続することができ、本発明に係る特定の実施形態では、外部機能手段が処理機器により押圧されおよび／またはその使用目的で覆われる。
【００７９】
測定装置は、そのプレートにより、処理機器のアクチュエータセンサプレート側から処理機器と接続可能あるいは接続することができ、本発明に係る幾つかの実施形態では、外部機能手段と処理機器との間で機能接続または信号接続が確立される。
【００８０】
そのような厚い部分または長い部分に配置される測定装置は、例えば、外部機能手段の供給または排出流体チャネル（特に、外部機能手段から流体を排出する流体チャネル、または、外部機能手段へあるいは外部機能手段内に流体を供給する流体チャネル）内の状態または状況のそれぞれを測定するのに役立つことができる。それらをそのような流体チャネルに近接して配置することができる。
【００８１】
厚いあるいは長い部分の全てあるいは一部は、外部機能手段の境界または縁部に設けられるのが好ましい。これは、前述した部分のうちの１つにそれぞれ存在する測定装置と処理装置との間で簡単な接続を可能にすることができ有益である。また、境界または縁部でのそのような構成は容易なアクセスを許容し得る。
【００８２】
外部機能手段は、前述した厚いあるいは長い部分または他の位置に、ライン漏れまたはバルブ漏れを検出するための例えば光学検出器などの検出器を結合するための測定点を備えることができる。そのような漏れは、例えば仮想バルブ、逆止弁の近傍で、供給ラインまたは排出ライン（例えば、バルブへ通じるあるいはバルブから離れる）で起こり得る。測定点および／または特に光学検出器を、対応する位置に配置できる。
【００８３】
本発明に係る幾つかの実施形態において、外部機能手段は、それぞれが少なくとも１つの隔壁を備える１つ以上の付加部位を備えることができる。隔壁は、付加中に容易に透過されるように設計することができるが、シール、したがって、安全性および緊密性を有利に提供する。
【００８４】
好ましくは、付加部位は、外部機能手段に組み込まれ、あるいは、外部機能手段と一体である。
【００８５】
付加部位は、外部機能手段の端部領域または境界領域に配置することができる。本発明に係る幾つかの実施形態において、そのような構成は、付加部位への容易なアクセスを可能にすることができ有益である。本発明に係る特定の実施形態において、これは、特に、外部機能手段がその前側およびその後側の両方で処理機器と結合する目的で処理機器と接触する（例えば押圧する）ケースにおいて当てはまり、したがって、隔壁による付加のために前側および後側の両方に達することは、厄介でありあるいは困難である。そのため、幾つかの実施形態では、人間工学的な利点を得ることができる。
【００８６】
更なる好ましい実施形態では、（好ましくは外部機能手段のその意図されるあるいは従来のそれぞれの使用中（例えば、外部機能手段が処理機器で押圧される状態での使用中）の意図されるあるいは従来のそれぞれの位置または配置に関して）供給ライン（全体または一部）または供給ラインへのあるいは供給ラインとの接続部位（例えば、供給ラインの接続ポート）が外部機能手段の上側領域に存在するように、外部機能手段にあるいは外部機能手段内に供給ラインを配置することができる。
【００８７】
上側領域は境界または縁領域であってもよい。上側領域は、結合面または結合領域よりも上側の領域であってもよい。
【００８８】
供給ラインは抗凝血剤のためのラインであってもよい。供給ラインがヘパリンラインであってもよい。抗凝血剤、例えばヘパリンのためのそれぞれのシリンジポンプを外部機能手段の使用中に外部機能手段またはその結合面よりも上側に配置することができる。
【００８９】
本発明に係る幾つかの実施形態で得ることができる利点は、人間工学的な利点、短い供給ラインによってもたらされる更なる利点、接続部位の改善されたアクセス可能性なども備える。
【００９０】
供給ラインは、幾つかの実施形態では、血液処理における外部機能手段の使用中にそれを通じて流体を体外で流れる血液へ供給できるラインあるいはそのために設けられるラインとして理解され得る。
【００９１】
血液処理機器は、カセットバルブを動作させるための制御手段を備えてもよい。制御手段は、好ましくは、自由にプログラムできる態様でカセット一体型事前希釈と事後希釈との間を切り換えてもよい。制御手段は、好ましくは、代替物流（体積流量）を変えてもよい。情報プロバイダは、特に、透析装置の上流側および下流側に配置されるカセット一体型圧力測定部位であってもよい。
【００９２】
本発明の目的は、請求項１８に係る本発明の方法によって更に達成される。以下、方法について説明する。
【００９３】
一例として、以下では、血液処理方法が血液透析濾過法などの透析方法であると仮定する。血液処理機器は例えば透析手段である。
【００９４】
透析手段は、動脈部と静脈部とを有する体外回路を備える。透析手段は動脈患者チューブクランプと静脈患者チューブクランプとを更に備える。
【００９５】
透析中、患者は、例えば瘻孔、シャントまたは移植片、あるいは、典型的には二本針アクセスまたは単針アクセスの形態を有するカテーテルなどの患者のアクセスを介して体外回路に接続される。
【００９６】
体外回路は、血液を運ぶ血液ポンプと、代替物を運ぶ代替物ポンプと、対応するポンプチューブセグメントとを備えてもよい。
【００９７】
血液ポンプおよび代替物ポンプは、蠕動ポンプ、例えばローラポンプとして構成されてもよい。
【００９８】
透析処理中の血液の「搬送方向」または「流れの方向」は、浄化されるべき血液が通常運ばれる方向を示す。特に、「搬送方向」または「流れの方向」は、患者から動脈針、動脈部、透析手段（図では下から上へ）、静脈部を介して延在する方向を示してもよく、また、静脈針を介して患者へ戻ってもよい。
【００９９】
この搬送方向に抗して行なわれる流体（特に、血液および／または代替物）の搬送は、反対方向の搬送または流れと称される。
【０１００】
血液処理機器は透析液入口と透析液出口とを有する透析手段を備え、この場合、透析液が血液と反対の方向で（図では上から下へ）透析手段を通じて運ばれてもよい。
【０１０１】
代替物は、代替物付加部位および事前希釈付加バルブおよび／または事後希釈付加バルブを介して体外回路へ導入されあるいは投入されてもよい。
【０１０２】
表現「時計回り」または「反時計回り」は図を参照する。血液ポンプおよび代替物ポンプは、通常、透析処理中の通常の搬送方向に対応してもよい反時計回り方向で運ぶ。
【０１０３】
プライミング中または充填中、事前希釈付加バルブ、事後希釈付加バルブ、および、単針血液バルブはそれぞれ最初に開放状態にあってもよい。
【０１０４】
好ましい態様では、動脈患者チューブクランプおよび静脈患者チューブクランプも開放する。
【０１０５】
動脈患者接続部および静脈患者接続部が互いに接続されるのが好ましい。
【０１０６】
体外回路と大気または収集容器との間の流体接続を確立することができかつ外部機能手段を通じて流れる流体を体外回路から排出できる機械側バルブ（「濯ぎポート」としても知られる）であるプラグバルブも閉じられることが好ましい。
【０１０７】
代替物が代替物付加部位を介して加えられる。
【０１０８】
代替物ポンプが始動される。この場合、代替物ポンプは（添付図面の紙面に対して）反時計回り方向に動作されることが好ましい。血液ポンプが好ましくは時計回り方向で始動される。
【０１０９】
代替物は、事後希釈付加バルブよりも前の位置のところまであるいは該位置へ運ばれるのが好ましい。到達時に事後希釈付加バルブが閉じられるのが好ましい。
【０１１０】
代替物は、事前希釈付加バルブを通じて、好ましくは透析手段へ向かう方向でおよび／または血液ポンプへ向かう方向で運ばれる。
【０１１１】
透析手段へ向けて流れる代替物は、透析手段および体外回路の静脈部を通過してもよく、また、外部機能手段の静脈血液チャンバに入ってもよい。
【０１１２】
血液ポンプへ向けて流れる代替物は、血液ポンプ内に挿入されるポンプチューブセグメントを時計回り方向で通過してもよい。好ましい態様において、代替物は、動脈患者接続部と静脈患者接続部との間の接続部を通じて更に流れて、外部機能手段の血栓トラップを通過して、静脈血液チャンバに達する。
【０１１３】
本発明によれば、血栓トラップであるいはその内部で、適切な圧力測定手段により体外回路内の圧力を測定することができる。これは、好ましくは、例えば血液処理カセットとして構成される外部機能手段のカバー手段にわたって行なわれてもよい。カバー手段がフィルムとして構成される場合、測定は、フィルムにわたってあるいはフィルムの媒介によって行なわれてもよい。したがって、このようにすると、好ましくは特に透析装置を通過した後に体外回路内の圧力を測定することができる。
【０１１４】
ここで、透析手段へ向けて流れる代替物を、静脈血液チャンバ内で、血液ポンプへ向けて流れる代替物と混合させることができる。
【０１１５】
静脈血液チャンバが満たされると、事前希釈付加バルブおよび単針血液バルブが好ましくは閉じられてもよくあるいは自動的に閉じてもよい。
【０１１６】
代替物ポンプが停止しあるいは停止されることが好ましい。事前希釈付加バルブ、事後希釈付加バルブ、および、単針血液バルブが閉じられるのが好ましい。
【０１１７】
代替物は、血液ポンプを動作させることにより体外回路を通じて運ばれる。
【０１１８】
好ましくは、単針チャンバ内には代替物が存在せずあるいは少量しか存在しない。
【０１１９】
本発明によれば、オンライン充填手法が以下のように行なわれてもよい。
１．自動代替物コネクタを接続する。
２．例えば一方の患者チューブの一端から他方の患者チューブへの適切なアクセスを与える適切なコネクタにより、動脈患者チューブおよび静脈患者チューブが血液処理機器の濯ぎポートに接続される。他の患者チューブの端部が、濯ぎポートの排水導管として機能する。コネクタは代替として、動脈患者導管または静脈患者導管に配置されてもよい。
３．静脈患者チューブクランプが閉じられ、事後希釈バルブが開かれ、事前希釈バルブが閉じられる。
４．空気の分離が単針バルブを通じて行なわれた状態で、事後希釈バルブを介して代替物ポンプにより静脈チャンバを充填する。
５．血液ポンプが順方向に動作して静脈チャンバから代替物を吸い込みあるいは吸引する。
６．静脈チャンバ内のレベルが下がると、所定の充填レベルを超えたことをレベル検出器が認識するまで事後希釈バルブを介した補充が行なわれる。必要に応じて繰り返されるこのプロセス中、血液ポンプの連続動作が維持される。
７．血栓トラップを「下側から」脱気する。すなわち、３つの全てのカセットバルブが閉じられる。動脈クランプが開かれ、静脈クランプが閉じられる。濯ぎポートが閉じられる。
８．少量を運ぶために血液ポンプが短時間にわたって逆方向に動作する。これにより、静脈負圧および動脈過圧が体外血液回路内に生み出される。
９．圧力平衡が確立されるまで静脈クランプを開く。
１０．体外血液回路の充填を続ける。
１１．充填された体外血液回路を濯ぐ（ｒｉｎｓｉｎｇ）。すなわち、気泡の発生が静脈気泡検出器により検出される。所定の時間間隔の過程で気泡が検出されないとあるいは気泡が殆ど検出されないと、体外血液回路が充填されたと見なされる。
１２．濯ぎ中、代替物が事前希釈バルブを介して運ばれて濯ぎポート（「プラグバルブ」）を通じて廃棄される。
１３．ここで、動脈クランプおよび静脈クランプの両方が開放される。血液ポンプが逆方向に動作して代替物の一部を濯ぎポートへ運ぶ。
【０１２０】
オンライン充填（代替物が透析機内にオンライン供給される）における別の方法として、充填液のための供給源としての生理食塩水溶液を収容する外部バッグにより充填を行なうこともできる。この目的のため、動脈患者導管が生理食塩水溶液を収容するバッグに接続される。静脈患者導管は、使用済み生理食塩水溶液のためのシンクとしてのいわゆる廃棄バッグに接続される。血液ポンプが順方向に動作する。事前希釈バルブおよび事後希釈バルブを開放することにより、これらの２つのバルブ間に配置される導管を充填することもできる。
【０１２１】
両方の方法において、患者は、所定の濯ぎ量に達しない前に体外血液回路に接続される。
【０１２２】
濯ぎにおいては、事前希釈付加バルブ、事後希釈付加バルブ、および、単針血液バルブが最初に閉じられることが好ましい。
【０１２３】
動脈患者チューブクランプおよび静脈患者チューブクランプが初めに開放するのが好ましい。
【０１２４】
動脈患者接続部および静脈患者接続部は依然として互いに接続される。
【０１２５】
代替物は、血液ポンプを動作させることにより体外回路を通じて運ばれる。この場合、例えば、単針チャンバ内には代替物が存在しない。
【０１２６】
このとき、事前希釈付加バルブは、プラグバルブ（機械側バルブまたは「濯ぎポート」）と同様に開放されるのが好ましい。
【０１２７】
代替物ポンプを（好ましくは、図面の面の反時計回り方向で）動作させかつ血液ポンプを（好ましくは時計回り方向で）動作させることにより、代替物が体外回路を通じて連続的に運ばれることが好ましい。血液ポンプは代替物ポンプよりもゆっくり回転してもよい。
【０１２８】
代替物は、廃棄するために排出導管を介して体外回路から抜け出てもよい。
【０１２９】
透析を行なうため、患者が体外回路に接続される。接続は、例えば、二本針アクセスによってあるいは単針アクセスによって達成されてもよい。
【０１３０】
患者接続の第１の変形では、好ましくは、事前希釈付加バルブ、事後希釈付加バルブ、および、単針血液バルブが閉じられてもよい。
【０１３１】
患者は、動脈針および静脈針を介して二本針アクセスにより体外回路に接続されてもよい。
【０１３２】
好ましい態様では、動脈患者チューブクランプおよび静脈患者チューブクランプが最初に閉じられてもよい。
【０１３３】
その後、動脈患者チューブクランプが開かれてもよい。
【０１３４】
血液ポンプが（好ましくは反時計回り方向に）動作されて好ましくは血液を動脈針を通じて体外回路へ運んでもよい。
【０１３５】
代替物は、廃棄されるために体外回路から透析液出口で排出されてもよい。
【０１３６】
浄化されるべき血液が透析手段の血液入口に達すると、動脈患者チューブクランプが好ましくは閉じられてもよく、また、その後に静脈患者チューブクランプが開かれてもよい。
【０１３７】
血液ポンプが停止されてもよい。
【０１３８】
ここで、血液は、好ましくは、静脈針を通じて体外回路へ流れて、血栓トラップを通じて静脈血液チャンバへ流れるとともに、静脈フィルタ導管を通じて血液出口へ流れて透析手段から流出してもよい。
【０１３９】
第２の変形によれば、患者は、もう一つの方法として、患者接続部を介して体外回路に接続されてもよい。
【０１４０】
最初に、事前希釈付加バルブ、事後希釈付加バルブ、および、単針血液バルブが閉じられるのが好ましい。
【０１４１】
患者は、例えば、再び二本針アクセスにより、動脈針および静脈針を介して体外回路に接続されてもよい。
【０１４２】
このとき、血液ポンプが（好ましくは反時計回り方向に）動作して血液を動脈針を通じて体外回路へ運んでもよい。血液は、好ましくは、透析手段および外部機能手段を通じて流れてもよい。血液は好ましくは静脈針を通じて患者内に入ってもよい。
【０１４３】
動脈患者チューブクランプおよび静脈患者チューブクランプが好ましくは開放状態にとどまってもよい。
【０１４４】
代替物の付加を伴わない透析処理では、事前希釈付加バルブおよび事後希釈付加バルブが閉じられてもよい。二本針アクセスを使用することにより透析処理を行なう場合には、単針血液バルブが好ましくは閉じられてもよい。
【０１４５】
また、動脈患者チューブクランプおよび静脈患者チューブクランプが好ましくは開放し、それにより、血液が体外回路を通じて連続的に流れてもよい。
【０１４６】
好ましい態様において、血液ポンプは、血液を動脈針を通じて体外回路へ運ぶとともに静脈針を通じて元の患者へ運んでもよい。
【０１４７】
血液が透析手段を通じて流れ、この透析手段において、血液が、透析手段を通じて血液と反対方向に流れる透析液により有利に浄化されてもよい。
【０１４８】
好ましい態様では、両方のステップ、すなわち、動脈吸引および静脈吸引が少なくとも所定の期間にわたって同時に行なわれてもよい。
【０１４９】
表現「オンラインＨＤＦ事前希釈」は、透析方法、特に、浄化されるべき血液に対して代替物が加えられる血液透析濾過法を示す。
【０１５０】
この方法（「オンラインＨＤＦ事前希釈」）では、事前希釈付加バルブが好ましくは開放してもよく、一方、事後希釈付加バルブおよび単針血液バルブが閉じられてもよい。
【０１５１】
動脈患者チューブクランプおよび静脈患者チューブクランプは、好ましくは開かれてもよい。
【０１５２】
血液ポンプ（好ましくは反時計回り方向に動作する）は、透析処理に関して既に前述したように、血液を動脈針を通じて体外回路へ運ぶとともに静脈針を通じて元の患者へあるいは患者の脈管系へ運んでもよい。
【０１５３】
代替物ポンプ（好ましくは反時計回り方向に動作する）は、体外血液回路の動脈部の事前希釈付加バルブであるいは該バルブを発端として血液と混合してもよい代替物を運んでもよい。
【０１５４】
先の説明にしたがって、好ましくは、透析液は、透析手段を通じて血液と反対方向で伝導されてもよく、また、透析手段を通じて同様に流れる血液を浄化するために使用されてもよい。
【０１５５】
表現「オンラインＨＤＦ事後希釈」は、透析方法、特に、浄化された血液に代替物が加えられる血液透析濾過法を示す。
【０１５６】
好ましい態様において、ここでは事後希釈付加バルブが開かれてもよく、一方、事前希釈付加バルブおよび単針血液バルブが閉じられる。
【０１５７】
プロセスシーケンスは、静脈部の事後希釈付加バルブであるいは該バルブを発端として代替物が浄化された血液に加えられて該血液と混合してもよいことを除き、前述した「オンラインＨＤＦ事前希釈」のシーケンスにほぼ対応する。
【０１５８】
いわゆる「オンラインＨＤＦ混合希釈」は、前述した「オンラインＨＤＦ事前希釈」のプロセスと前述した「オンラインＨＤＦ事後希釈」のプロセスとの間を切り換えることができるプロセスを示す。
【０１５９】
ここで、事前希釈または事後希釈のそれぞれの部分プロセスが特定の期間にわたって維持されてもよい。それぞれの部分プロセスが連続的に繰り返されてもよい。
【０１６０】
事前希釈または事後希釈の時間的割合は、固定されてもよくあるいは比率を変えることができてもよく、また、測定された量に応じて変えられてもよい。
【０１６１】
前述したように患者への二本針アクセスを使用することによる血液処理のための別の方法として、単針アクセス（「カセット一体型単針」）を使用することにより血液処理が行なわれてもよい。
【０１６２】
単針アクセスは、体外回路の動脈部と静脈部とに分かれるＹ形状部を備えてもよい。
【０１６３】
事前希釈付加バルブおよび事後希釈付加バルブが閉じられてもよい。一方、単針血液バルブが好ましくは開かれてもよい。このようにして、静脈血液チャンバと単針チャンバとの間の流体連通を行なうことができてもよい。
【０１６４】
動脈患者チューブクランプおよび静脈患者チューブクランプが閉じられてもよい。
【０１６５】
患者が体外回路に接続され、また、動脈患者チューブクランプが好ましくは開かれてもよい。
【０１６６】
血液ポンプは、血液を体外回路を通じて静脈血液チャンバを介して運んでもよく、好ましくは血液を外部機能手段の単針チャンバ内へ運んでもよい。
【０１６７】
単針チャンバがほぼ満たされあるいは完全に満たされると、血液ポンプが好ましくは停止されてもよく、また、動脈患者チューブクランプが閉じられてもよい。その後、静脈患者チューブクランプが開かれてもよい。
【０１６８】
血液は、静脈部を通じて、元の患者の脈管系内へあるいは患者へ流れてもよい。
【０１６９】
その後、動脈患者チューブクランプが開かれることが好ましい。
【０１７０】
プロセスは、必要および／または望みに応じて連続的にあるいは特定の間隔で繰り返されてもよい。
【０１７１】
血液透析濾過法を用いた単針処理の組み合わせも同様に可能である。
【０１７２】
血液処理方法の後、好ましくは体外回路に存在する血液が処理後に患者へ再循環されてもよい。
【０１７３】
血液再循環の第１の変形では、事前希釈付加バルブが開かれてもよく、また、事後希釈付加バルブおよび単針血液バルブが閉じられてもよい。
【０１７４】
動脈患者チューブクランプが好ましくは閉じられてもよく、一方、静脈患者チューブクランプが開かれてもよい。
【０１７５】
二本針アクセスの動脈針および静脈針が好ましくは患者にあるいは患者と共にとどまってもよい。
【０１７６】
代替物ポンプ（好ましくは反時計回り方向に動作する）は、好ましくは代替物を事前希釈付加バルブを介して体外回路へ運ぶように動作されてもよい。
【０１７７】
代替物は、プロセスにおいて、透析手段および体外回路の静脈部を通じて流れて、血液を移動させてもよい。代替物が静脈針に達する直前に、代替物ポンプが好ましくは停止されてもよい。
【０１７８】
この後、静脈患者チューブクランプが閉じられてもよく、また、動脈患者チューブクランプが開かれてもよい。
【０１７９】
代替物ポンプ（好ましくは反時計回り方向に動作する）および血液ポンプ（好ましくは時計回り方向に動作する）が動作されてもよい。
【０１８０】
事前希釈付加バルブを発端としてあるいは該バルブで、代替物が患者へ向けて動脈部へ運ばれてもよい。動脈針に達する直前に、両方のポンプが好ましくは停止されてもよい。
【０１８１】
動脈針および静脈針を通じた戻りが同時に行なわれてもよい。その後、代替物ポンプが高速で順方向に動作し、また、血液ポンプが低速で逆方向に動作する。
【０１８２】
血液再循環プロセスの第２の実施形態では、事前希釈付加バルブ、事後希釈付加バルブ、および、単針血液バルブが閉じられてもよい。
【０１８３】
動脈患者チューブクランプおよび静脈患者チューブクランプが好ましくは閉じられてもよい。
【０１８４】
好ましい態様では、少なくとも１つのセンサ／検出器が体外血液回路の動脈部に設けられてもよく、また、少なくとも１つのセンサ／検出器が体外血液回路の静脈部に設けられてもよい。
【０１８５】
動脈針が患者から外されてもよく、および／または、動脈患者導管が動脈針から外されてもよい。動脈患者チューブクランプおよび静脈患者チューブクランプが好ましくは開かれてもよい。
【０１８６】
血液ポンプ（好ましくは反時計回り方向に動作する）は、血液を動脈針を通じて体外回路へ運ぶように動作されてもよい。
【０１８７】
体外血液回路の動脈部のセンサ／検出器が空気の存在を検出すると、血液ポンプは、好ましくは、血液が事前希釈付加バルブに達するまで血液を運び続けてもよい。その後、血液ポンプが好ましくは停止されてもよい。
【０１８８】
動脈患者接続部が閉じられてもよい。
【０１８９】
代替物ポンプが動作されてもよい（好ましくは反時計回り方向に動作する）。
【０１９０】
事前希釈付加バルブが開かれてもよく、また、代替物ポンプが好ましくは代替物を事前希釈付加バルブを介して体外回路へ運んでもよい。
【０１９１】
代替物は、体外回路を通じて流れて好ましくは該回路内に存在する血液を移動させてもよい。静脈患者チューブクランプのセンサ／検出器が代替物の存在を認識すると、代替物ポンプは、好ましくは、全ての血液が体外回路から患者へ再循環されるまで、血液および代替物を静脈針を通じて患者へ運び続けてもよい。
【０１９２】
最後に、静脈針が引き抜かれてもよく、また、ポンプが好ましくは停止されてもよい。
【０１９３】
空にするため、事前希釈付加バルブおよび事後希釈付加バルブが開放してもよいが、単針血液バルブは閉じられてもよい。
【０１９４】
動脈患者チューブクランプおよび静脈患者チューブクランプが閉じられてもよい。
【０１９５】
動脈患者接続部および静脈患者接続部が好ましくは互いに接続されてもよい。
【０１９６】
プロセスの初めに、動脈患者チューブクランプおよび静脈患者チューブクランプが開かれてもよい。
【０１９７】
代替物は、好ましくは、代替物付加部位であるいは代替物付加部位により体外回路へ導入されてもよい。空にするため、空気が運ばれてもよい。
【０１９８】
代替物ポンプは、（反時計回り方向に）動作されて、代替物を体外回路を通じて事前希釈付加バルブおよび事後希釈付加バルブへ運んでもよい。
【０１９９】
消費された代替物は、好ましくは、廃棄されるために透析液出口で体外回路から抜け出てもよい。空気が運ばれて、それにより代替物が移動されてもよい。
【０２００】
代替物は、一方では事前希釈付加バルブを通じて運ばれてもよく、他方では事後希釈付加バルブを通じて透析手段へ運ばれてもよい。
【０２０１】
事前希釈付加バルブが閉じられてもよい。血液ポンプが始動されてもよい。
【０２０２】
血液ポンプを動作させ（好ましくは反時計回り方向に動作する）かつ代替物ポンプを動作（好ましくは反時計回り方向に動作する）させることにより、空気が、体外回路を通じて−事後希釈付加バルブよりも上流側で始めて−および、静脈血液チャンバ、血栓トラップ、静脈部、動脈部を通じて透析手段へ運ばれてもよい。空気は、好ましくは、透析液出口を通じて体外回路から出てもよい。使用済みの代替物は廃棄されてもよい。
本発明による好適な実施形態において、外部機能手段は、その使用目的で処理機器と接続される間に血液でないまたは血液に限らない流体を外部機能手段から抽出するのに適しかつ抽出するために設けられる少なくとも１つの充填ポストを備える。
本発明による好適な実施形態において、外部機能手段は、処理機器に結合される間に少なくとも１つのチューブの少なくとも１つの部分を外部機能手段に固定するための少なくとも１つのチューブ固定部を備える。
本発明による好適な実施形態において、流体は代替物、ヘパリン、血液、生理食塩水溶液、空気、および、これらの組み合わせを含むグループの一部である。
本発明による好適な実施形態において、外部機能手段は、特に垂直線に対してほぼ８°または正確に８°の傾き角度で前記血液処理機器に結合されるように構成されている。
本発明による好適な実施形態において、外部機能手段は、血液サージ変向要素が配置される少なくとも１つの単針チャンバを備える。
本発明による好適な実施形態において、静脈血液チャンバの上側空間および／または下側空間の壁は、血液処理機器の垂直線に対する外部機能手段の傾きに適合される。
本発明による好適な実施形態において、静脈血液チャンバの少なくとも１つの壁は少なくとも１つの窪みを備える。
本発明による好適な実施形態において、ハウジング本体は硬質部として構成される。
本発明による好適な実施形態において、不正開封保護が代替物付加部位の形態によって実現される。
本発明による好適な実施形態において、不正開封保護は、カセット内のまたはカセットに対するその位置の変化に基づいておよび／またはその形状の変化に基づいて、代替物付加部位の閉塞スリーブによってまたは接触保護要素によって実現される。
本発明による好適な実施形態において、再使用に対する防御が代替物付加部位の形態によって実現される。
本発明による好適な実施形態において、閉塞スリーブは再使用できないように作られる。
本発明による好適な実施形態において、結合面が、血液処理機器のその使用中の方向に対するまたは地球の中心に対する垂直線に対して所定の角度で傾けられる。
本発明による好適な実施形態において、前記角度が、５〜１１°、特にほぼ８°または正確に８°である。
本発明による好適な実施形態において、患者に本発明に係る外部機能手段が接続される。
本発明による好適な実施形態において、患者の血液が本発明に係る外部機能手段の使用によって処理される。
本発明による好適な実施形態において、二本針方法が実行される。
本発明による好適な実施形態において、単針方法が実行される。
本発明による好適な実施形態において、血液処理方法は、血液を透析するための透析手段、特に透析フィルタを通じて血液を伝導するステップと、透析手段を通過した血液を単針チャンバに保管するステップと、を含み、血液が、単針チャンバに入る前に最初に透析手段で透析される、というものである。
本発明による好適な実施形態において、事前希釈ステップを伴って、二本針方法での透析中に、外部機能手段を動作させる。
本発明による好適な実施形態において、事後希釈ステップを伴って、二本針方法での透析中に、外部機能手段を動作させる。
本発明による好適な実施形態において、少なくとも１つの事前希釈ステップと少なくとも１つの事後希釈ステップとを伴って、二本針方法での透析中に、外部機能手段を動作させる。
本発明による好適な実施形態において、単針方法での透析中に、外部機能手段を動作させる。
本発明による好適な実施形態において、外部機能手段からの血液を再循環させる。
本発明による好適な実施形態において、前記方法は、血液処理機器に挿入して使用される外部機能手段が既に使用されたかどうかを血液処理機器のセンサによって検査するステップを含む。
本発明による好適な実施形態において、血液処理機器は、本発明に係る外部機能手段を制御するための、または調整するためのおよび／または本発明に係る方法を実行するための制御手段を備える。
本発明による好適な実施形態において、本発明に係る血液処理装置は、本発明に係る方法を実行するために、本発明に係る外部機能手段またはその一部を動作させるための少なくとも１つの作用体を備える。
本発明による好適な実施形態において、血液処理装置は、本発明に係る外部機能手段を動作させるための基準としての信号を出力するためのセンサを備える。
【０２０３】
以下、図面を参照しつつ、本発明の好ましい実施形態により本発明を説明する。図中、同じ参照符号は同じあるいは同様の要素を示す。
【図面の簡単な説明】
【０２０４】
【図１】カバー手段をその前側に有する好ましい実施形態にしたがって設けられる本発明の外部機能手段の側面図を示している。
【図２】カバー手段が破壊的な切断後にめくり開かれた状態の図１の外部機能手段を示している。
【図３】図１および図２の外部機能手段をその後側から示している。
【図４】血液処理プロセスを行なう前の本発明に係る予備プロセスまたはプライミングプロセスの実行中の段階を簡略化された概略図で示している。
【図５】血液処理プロセスを行なう前の本発明に係る濯ぎプロセスの実行中の段階を簡略化された概略図で示している。
【図６】血液処理機器の体外回路に対して患者を接続するための本発明に係る第１のプロセスの実行中の段階を簡略化された概略図で示している。
【図７】血液処理機器の体外回路に対して患者を接続するための本発明に係る第２のプロセスの実行中の段階を簡略化された概略図で示している。
【図８】本発明に係る第１の血液処理プロセスの実行中の段階を簡略化された概略図で示している。
【図９】事前希釈を使用することによる図８の血液処理プロセスの実行中の段階を簡略化された概略図で示している。
【図１０】事後希釈を使用することによる図８の本発明に係る血液処理プロセスの実行中の段階を簡略化された概略図で示している。
【図１１】混合希釈（事前希釈）を使用することによる図８の本発明に係る血液処理プロセスの実行中の段階を簡略化された概略図で示している。
【図１２】混合希釈（事後希釈）を使用することによる図８の本発明に係る血液処理プロセスの実行中の段階を簡略化された概略図で示している。
【図１３】単針アクセスを使用することによる本発明に係る第２の血液処理プロセスの実行中の段階を簡略化された概略図で示している。
【図１４】本発明に係る第１の血液再循環プロセスの実行中の段階を簡略化された概略図で示している。
【図１５】本発明に係る第２の血液再循環プロセスの実行中の段階を簡略化された概略図で示している。
【図１６】血液処理プロセスの実行後の本発明に係る排出プロセスの実行中の段階を簡略化された概略図で示している。
【図１７】更なる実施形態における本発明に係る外部機能手段をその前側から見た簡略化された概略図で示している。
【図１８】図１７の図の細部を簡略化された概略図で示している。
【図１９】その後側から見た斜視図で示される、図１７の更なる実施形態における本発明に係る外部機能手段を簡略化された概略図で示している。
【図２０】図１９の図の細部を簡略化された概略図で示している。
【図２１】本発明に係る外部機能手段をその前側から見た簡略化された概略図で示している。
【図２２】図２１の図の細部を簡略化された概略図で示している。
【図２３】図２１の図の更なる細部を簡略化された概略図で示している。
【図２４】外部機能手段の本発明に係る１つの実施形態を簡略化された概略図で示している。
【図２５】図２４の図の細部を簡略化された概略図で示している。
【図２６】図２４の図の更なる細部を簡略化された概略図で示している。
【発明を実施するための形態】
【０２０５】
本発明の典型的な説明のため、血液処理機器が処理機器として選択され、血液処理方法が方法として選択される。
【０２０６】
図中の標準的な矢印は血液流れの方向を示す。ブロック矢印は代替物流れのそれぞれの方向を示す。二重ブロック矢印は、透析液流れのそれぞれの方向を示す。
【０２０７】
図１は外部機能手段の側面図を示しており、この外部機能手段には図１の紙面にカバー手段が設けられる。
【０２０８】
ここでは、外部機能手段が典型的にカセット１０００として構成される。
【０２０９】
カセット１０００は硬質部１を備える。図１に典型的に示されるように、硬質部１は、チャンバ、通路、および、バルブを備える。図１に更に典型的に示されるように、チャンバ、通路、および、バルブは、硬質部１に組み込まれ、あるいは、少なくとも一部が硬質部１によって形成される。
【０２１０】
図１のカセット１０００には、その前側に、カバー手段、この場合には例えばフィルム３が設けられる。カバー手段は、平坦な態様で、すなわち平らに、硬質部１に溶着されてもよい。
【０２１１】
本発明によれば、三次元形態の溶着およびシール輪郭を伴う実施形態も可能である。
【０２１２】
カバー手段は、カセット１０００の硬質部１のチャンバおよび／または通路を、具体的にはカバー手段の硬質部１から離れた方を向く側に対しておよび／または大気に対して閉じてもよい。
【０２１３】
図１から分かるように、フィルム３は、外周シールバー４でカセット１０００の硬質部１上に載置する。フィルム３は、外周溶着部５でカセット１０００の硬質部１と溶着される。
【０２１４】
あるいは、外周シールバー４が露出態様で実現されてもよい。
【０２１５】
フィルム３は、更なる局部的な溶着部（図示せず）でカセット１０００の硬質部１に接続されてもよい。これらは、外周であってもよく、すなわち、リングおよび／またはドット形状に類似する有限という意味で閉じられている。
【０２１６】
フィルム３は、点または線の形態で特に液体伝導通路の周辺域でカセット１０００の硬質部１と局所的に接続され、例えば溶着されてもよい。
【０２１７】
フィルム３は、レーザ溶着によってカセット１０００の硬質部１に接続されてもよい。ここで、光吸収要素を使用することによって熱の局所的な付与が行なわれれば有益である。光吸収要素は、フィルムおよび／または硬質部の材料の一部であってもよく、または、フィルムと硬質部との間にあるいはフィルムの上側に配置される層であってもよい。層がフィルム層であってもよい。
【０２１８】
カセット１０００は、少なくとも図１に示されるその前側により血液処理機器（図１に示されない）に結合されてもよい。血液処理機器の結合面に対するカセット１０００の適切な結合のための典型的な技術は、２００９年３月１０日にドイツ特許商標局に出願された表題「Ｖｏｒｒｉｃｈｔｕｎｇ  ｚｕｍ  Ｖｅｒｂｉｎｄｅｎ  ｅｉｎｅｒ  ｅｘｔｅｒｎｅｎ  Ｆｕｎｋｔｉｏｎｓｅｉｎｒｉｃｈｔｕｎｇ  ｍｉｔ  ｅｉｎｅｒ  Ａｎｏｒｄｎｕｎｇ，Ａｎｏｒｄｎｕｎｇ  ａｕｆｗｅｉｓｅｎｄ  ｅｉｎｅ  ｓｏｌｃｈｅ  Ｖｏｒｒｉｃｈｔｕｎｇ  ｕｎｄ  Ｖｅｒｆａｈｒｅｎ  ｚｕｍ  Ｖｅｒｂｉｎｄｅｎ」［Ｄｅｖｉｃｅ  ｆｏｒ  ｃｏｎｎｅｃｔｉｎｇ  ａｎ  ｅｘｔｅｒｎａｌ  ｆｕｎｃｔｉｏｎａｌ  ｍｅａｎｓ  ｔｏ  ａｎ  ａｒｒａｎｇｅｍｅｎｔ，ａｒｒａｎｇｅｍｅｎｔ  ｉｎｃｌｕｄｉｎｇ  ａ  ｌｉｋｅ  ａｐｐａｒａｔｕｓ，ａｎｄ  ｃｏｎｎｅｃｔｉｎｇ  ｍｅｔｈｏｄ］を有する特許出願１０  ２００９  ０１２  ６３３．３および同様に２００９年３月１０日にドイツ特許商標局に出願された表題「Ａｂｄｉｃｈｔｕｎｇｓｅｉｎｒｉｃｈｔｕｎｇ  ｚｕｍ  Ａｂｄｉｃｈｔｅｎ  ｅｉｎｅｓ  Ｖｏｌｕｍｅｎｔｓ  ｅｉｎｅｒ  ｍｅｄｉｚｉｎｉｓｃｈｅｎ  Ｂｅｈａｎｄｌｕｎｇｓａｎｏｒｄｎｕｎｇ  ｇｅｇｅｎ  ｅｉｎ  ｗｅｉｔｅｒｅｓ  Ｖｏｌｕｍｅｎ  ｓｏｗｉｅ  Ａｎｏｒｄｎｕｎｇ  ｕｎｄ  Ｖｅｒｆａｈｒｅｎ」［Ｓｅａｌｉｎｇ  ｍｅａｎｓ  ｆｏｒ  ｓｅａｌｉｎｇ  ａ  ｖｏｌｕｍｅ  ｏｆ  ａ  ｍｅｄｉｃａｌ  ｔｒｅａｔｍｅｎｔ  ａｒｒａｎｇｅｍｅｎｔ  ａｇａｉｎｓｔ  ａｎｏｔｈｅｒ  ｖｏｌｕｍｅ，ａｓ  ｗｅｌｌ  ａｓ  ａｒｒａｎｇｅｍｅｎｔ  ａｎｄ  ｍｅｔｈｏｄ］を有する特許出願１０  ２００９  ０１２  ６３２．５に記載されており、これらのそれぞれの開示内容は参照することにより全体が本願に組み入れられる。
【０２１９】
カセット１０００は、フィルム３の面によってあるいはフィルム３の媒介によって血液処理機器の結合面に結合されてもよい。結合面は好ましくは三次元的に実現されてもよい。
【０２２０】
血液処理機器の結合面は、例えば図１に示されるその上端部で、図１の上端から下端へ延在する垂直線に対して８°だけ後方に（観察者から図１の描画面へ延在する方向に）傾けられてもよい。
【０２２１】
カセット１０００は動脈患者接続部７を備える。
【０２２２】
カセット１０００は動脈圧測定チャンバ９を備える。該チャンバは対応するセンサを含んでもよい。センサは、信号を好ましくはケーブルの媒介により送信してもよい。しかしながら、センサは、信号を無線態様で送信するように設けられてもよい。
【０２２３】
カセット１０００は、カセット１０００から血液を出すためのコネクタ１１と、血液をカセット１０００へ入れるためのコネクタ１３とを備える。
【０２２４】
２つのコネクタ１１、１３は、血液ポンプのポンプチューブセグメントまたはポンプチューブセットに接続されるように構成されている。
【０２２５】
カセット１０００は、透析装置（「プレフィルタ」）よりも上流側またはポンプ（「ポストポンプ」）よりも下流側のそれぞれの体外血液回路で圧力測定するための圧力測定部位を含むチャンバ１５を更に備える。
【０２２６】
チャンバ１５では、透析装置よりも上流側の体外回路内の圧力がフィルム３にわたってあるいはフィルム３を介して測定されてもよい。
【０２２７】
カセット１０００は動脈フィルタ導管１７および静脈フィルタ導管１９を備える。
【０２２８】
カセット１０００の内部は静脈血液チャンバ２１を含む。静脈血液チャンバ２１は上側空間２３と下側空間２５とに分けられる。
【０２２９】
静脈血液チャンバ２１の上側空間２３は血液の横方向接線流入を許容してもよい。ここで、血液は、入口（図１の左側）を通じて上側空間２３内へ横方向に流れて、上側空間２３の壁に対して接線方向に広げられてもよい。血液の横方向接線流入は、静脈血液チャンバ２１の上側空間２３内にほぼ安定したあるいは完全に安定した血液の回転流を伴う領域を形成してもよい。
【０２３０】
静脈血液チャンバ２１の下側空間２５は血液流のための沈静域に相当してもよい。そのような沈静域は、場合により、ここに存在する血液の回転流を実質的に有さずあるいは回転流を全く有さなくてもよい。
【０２３１】
静脈血液チャンバ２１は、カセット１０００の硬質部１の断面制限部２７によって上側空間２３と下側空間２５とに分けられる。断面制限部２７は、噴射流または急流をもたらすように静脈血液チャンバ２１の断面をその幅および深さにおいて減少させ、それにより、カセット１０００の静脈血液チャンバ２１を横切った流体がゆっくりとした流速を伴って流れる。上側空間２３と下側空間２５は流体連通する。
【０２３２】
そのような構造により、すなわち、静脈血液チャンバ２１を血液のほぼ安定したあるいは完全に安定した回転流を伴う領域と血液流のための沈静域とに分けることにより、血液または流体からの空気の効率的な分離を達成することができ有益である。
【０２３３】
静脈血液チャンバ２１の上側空間２３および下側空間２５の壁は、図１のカセット１０００の上部の垂直線に対する傾き、例えば図１に示されるカセット１０００の上部の後方への（紙面へ向かう）８°の傾きに適切に適合されてもよい。壁は、静脈血液チャンバ２１を通過する流体のための流動学的に最適な接触面を有利に描くように適切に円形状を有してもよい。
【０２３４】
カセット１０００は血栓トラップ２９を備える。
【０２３５】
血栓トラップとして、２００９年６月１０日にドイツ特許商標局に出願された本発明の出願人の表題「Ｇｅｒｉｎｎｓｅｌｆａｎｇｅｒ，ｅｘｔｅｒｎｅ  Ｆｕｎｋｔｉｏｎｓｅｉｎｒｉｃｈｔｕｎｇ，Ｂｌｕｔｋｒｅｉｓｌａｕｆ  ｓｏｗｉｅ  Ｂｅｈａｎｄｌｕｎｇｓｖｏｒｒｉｃｈｔｕｎｇ」［Ｃｌｏｔ  ｔｒａｐ，ｅｘｔｅｒｎａｌ  ｆｕｎｃｔｉｏｎａｌ  ｍｅａｎｓ，ｂｌｏｏｄ  ｃｉｒｃｕｉｔ  ａｎｄ  ｔｒｅａｔｍｅｎｔ  ａｐｐａｒａｔｕｓ］を有する特許出願１０  ２００９  ０２４  ４９５．６に開示される血栓トラップを使用できるのが好ましい。その関連する開示内容は参照することにより全体が本願に組み入れられる。
【０２３６】
血栓トラップ２９では、体外回路内の圧力を、フィルム３を介してあるいはフィルム３にわたって、すなわち、特に透析装置の通過後に測定することができる。
【０２３７】
カセット１０００は静脈患者接続部３１を備える。
【０２３８】
カセット１０００は動脈ヘパリン付加部位３３を備える。ここで、ヘパリン付加部位３３（静脈ヘパリン付加部位３７と同様に）は、唯一好ましい態様において抗凝血剤または活性剤の組み合わせであるヘパリン以外の薬理学的に活性な薬剤を付加するのに適しかつ付加するように意図されていてもよいことに留意すべきである。このことは、これまでのあるいは以下の任意の種類の文脈でヘパリンが言及されるときには常に留意されるべきである。
【０２３９】
カセット１０００は動脈ヘパリン付加部位３３の逆止弁３５を備える。
【０２４０】
動脈ヘパリン付加部位３３の逆止弁３５としてかつカセット１０００の更なる逆止弁としても使用できる典型的な逆止弁は、２００９年６月１０日にドイツ特許商標局に出願された表題「Ｖｅｎｔｉｌｖｏｒｒｉｃｈｔｕｎｇ，Ｖｅｎｔｉｌｅｉｎｓａｔｚ，ｅｘｔｅｒｎｅ  Ｆｕｎｋｔｉｏｎｓｅｉｎｒｉｃｈｔｕｎｇ，Ｂｅｈａｎｄｌｕｎｇｓｖｏｒｒｉｃｈｔｕｎｇ  ｓｏｗｉｅ  Ｖｅｒｆａｈｒｅｎ」［Ｖａｌｖｅ  ｄｅｖｉｃｅ，ｖａｌｖｅ  ｉｎｓｅｒｔ，ｅｘｔｅｒｎａｌ  ｆｕｎｃｔｉｏｎａｌ  ｍｅａｎｓ，ｔｒｅａｔｍｅｎｔ  ａｐｐａｒａｔｕｓ，ａｎｄ  ｍｅｔｈｏｄ］を有する本発明の出願人の特許出願１０  ２００９  ０２４  ４６９．７に開示されており、その関連する開示内容は参照することにより全体が本願に組み入れられる。
【０２４１】
カセット１０００は動脈ヘパリン付加バルブ３６を備える。動脈ヘパリン付加バルブ３６により、動脈フィルタ導管１７内へのヘパリンの付加が制御されあるいは調整されてもよい。
【０２４２】
動脈ヘパリン付加バルブ３６がいわゆる仮想バルブとして構成されてもよい。
【０２４３】
ここで使用される表現「仮想バルブ」は、バルブの機能をとり得る作用体によって達せられ得る作用体面（このケースでは、例えば、作用体膜）を有する要素を示す。
【０２４４】
作用体膜は、それに対して力、例えば押圧力を加えることにより、一方向に移動させ、拡張させ、あるいは、湾曲させるなどすることができる。その移動または拡張の結果として、作用体膜は、シール手段、例えばバーなどの要素と接触してもよく、あるいは、該要素から離れてもよい。したがって、作用体膜は、例えば、シール効果をもたらしあるいは高めあるいは終端させあるいは減少させてもよい。
【０２４５】
作用体膜に作用する力の付与が停止されあるいは力が解放されると、作用体膜は、例えば基本位置、例えば非湾曲状態へ戻ることができる。
【０２４６】
動脈ヘパリン付加バルブ３６として使用するための仮想バルブおよびカセット１０００の更なる仮想バルブは、カセット１０００の硬質部１の通路のバー部分と該バー部分と接触するあるいは対向するフィルム３の部分とを伴って構成されあるいはこれらの部分から構成されてもよい。
【０２４７】
仮想バルブは、血液処理機器の作用体を介して動作されてもよい。
【０２４８】
仮想バルブを閉じるために、フィルム３の前記部分がバー部分に押し付けられてもよい。仮想バルブを開放するために、フィルム３の前記部分が再びバー部分から上昇されてもよい。
【０２４９】
仮想バルブにおける更なる例および／または実施形態は、本出願人によって２００９年３月１０日にドイツ特許商標局に出願された表題「Ａｂｄｉｃｈｔｕｎｇｓｅｉｎｒｉｃｈｔｕｎｇ  ｚｕｍ  Ａｂｄｉｃｈｔｅｎ  ｅｉｎｅｓ  Ｖｏｌｕｍｅｎｓ  ｅｉｎｅｒ  ｍｅｄｉｚｉｎｉｓｃｈｅｎ  Ｂｅｈａｎｄｌｕｎｇｓａｎｏｒｄｎｕｎｇ  ｇｅｇｅｎ  ｅｉｎ  ｗｅｉｔｅｒｅｓ  Ｖｏｌｕｍｅｎ  ｓｏｗｉｅ  Ａｎｏｒｄｎｕｎｇ  ｕｎｄ  Ｖｅｒｆａｈｒｅｎ」［Ｓｅａｌｉｎｇ  ｍｅａｎｓ  ｆｏｒ  ｓｅａｌｉｎｇ  ａ  ｖｏｌｕｍｅ  ｏｆ  ａ  ｍｅｄｉｃａｌ  ｔｒｅａｔｍｅｎｔ  ａｒｒａｎｇｅｍｅｎｔ  ａｇａｉｎｓｔ  ａｎｏｔｈｅｒ  ｖｏｌｕｍｅ，ａｓ  ｗｅｌｌ  ａｓ  ａｒｒａｎｇｅｍｅｎｔ  ａｎｄ  ｍｅｔｈｏｄ］を有する特許出願１０  ２００９  ０１２  ６３２．５において見出すことができる。その関連する開示内容は参照することにより全体が本願に組み入れられる。
【０２５０】
カセット１０００は静脈ヘパリン付加部位３７を備える。静脈ヘパリン付加部位３７がルアーコネクタとして構成されてもよい。
【０２５１】
カセット１０００は静脈ヘパリン付加部位３７の逆止弁３９を備える。
【０２５２】
カセット１０００は静脈ヘパリン付加バルブ４０を備える。静脈ヘパリン付加バルブ４０を用いて、静脈フィルタ導管１９内へのヘパリンの付加が制御されあるいは調整されてもよい。
【０２５３】
カセット１０００は代替物付加部位４１または代替物コネクタをそれぞれ備える。
【０２５４】
代替物付加部位４１は、本出願人によって２００９年６月１０日にドイツ特許商標局に出願された表題「Ｖｅｒｂｉｎｄｕｎｇｓｅｉｎｒｉｃｈｔｕｎｇ  ｕｎｄ  Ｖｅｒｆａｈｒｅｎ  ｚｕｍ  Ｖｅｒｂｉｎｄｅｎ  ｗｅｎｉｇｓｔｅｎｓ  ｚｗｅｉｅｒ  ｆｌｕｉｄｆｕｈｒｅｎｄｅｒ  ｍｅｄｉｚｉｎｔｅｃｈｎｉｓｃｈｅｒ  Ｓｙｓｔｅｍｅ，ｓｏｗｉｅ  ｍｅｄｉｚｉｎｔｅｃｈｎｉｓｃｈｅ  Ｖｏｒｒｉｃｈｔｕｎｇ」［Ｃｏｎｎｅｃｔｉｏｎ  ｍｅａｎｓ  ａｎｄ  ｍｅｔｈｏｄ  ｆｏｒ  ｃｏｎｎｅｃｔｉｎｇ  ａｔ  ｌｅａｓｔ  ｔｗｏ  ｆｌｕｉｄ−ｃｏｎｄｕｃｔｉｎｇ  ｍｅｄｉｃａｌ−ｔｅｃｈｎｉｃａｌ  ｓｙｓｔｅｍｓ，ａｓ  ｗｅｌｌ  ａｓ  ａ  ｍｅｄｉｃａｌ−ｔｅｃｈｎｉｃａｌ  ａｐｐａｒａｔｕｓ］を有する本出願人の特許出願１０  ２００９  ０２４  ５７５．８に記載される接続手段であってもよい。その関連する開示内容は参照することにより全体が本願に組み入れられる。
【０２５５】
代替物付加部位４１には接触保護要素（図示せず）が設けられてもよい。代替物付加部位４１には滴下保護要素（図示せず）が設けられてもよい。滴下保護要素が一体型閉塞スリーブによって実現されてもよい。滴下保護要素は、カセット１０００が解放されてその後に血液処理機器から除去されるときに代替物および／または血液の残留物が滴下するのを防止することができる。
【０２５６】
滴下保護要素が取り外しできるように実現されてもよい。滴下保護要素がフードまたは蓋であってもよい。
【０２５７】
代替物付加部位４１またはカセット１０００の何らかの他の部分が不正開封保護を更に備えてもよく、その結果として、ユーザは、カセット１０００が既に使用されたかどうかを容易にあるいは一見して認識する。この不正開封保護は、接触保護要素、閉塞スリーブ、または、何らかの他の構造によって実現されてもよい。好ましくは、対応する構造が、カセット１０００内でのその位置またはカセット１０００に対するその位置を認識できるように変更してもよい。好ましくは、対応する構造がその形状を変えてもよい。
【０２５８】
また、代替物付加部位４１またはカセット１０００の何らかの他の部分が再使用に対する防御を備えてもよい。好ましい態様において、カセット１０００は、試みられる再使用に対して閉塞スリーブにより、好ましくは不可逆的な態様で、使用できないようにされる。それにもかかわらずカセット１０００が再び使用される場合には、血液処理機器のセンサは、新たなカセットの使用中に測定されるはずの信号特性を測定しない。これは、液体がカセット１０００内にあるいは代替物付加部位４１内に入ることができない、あるいは少なくとも十分なまたは通常の量で入ることができないという事実に起因してもよい。血液処理機器の制御ユニットがこれを認識してもよい。警告がなされてもよい。
【０２５９】
不正開封保護または再使用に対する防御として、２００９年６月１０日にドイツ特許商標局に出願された表題「Ｖｅｒｂｉｎｄｕｎｇｓｅｉｎｒｉｃｈｔｕｎｇ  ｕｎｄ  Ｖｅｒｆａｈｒｅｎ  ｚｕｍ  Ｖｅｒｂｉｎｄｅｎ  ｗｅｎｉｇｓｔｅｎｓ  ｚｗｅｉｅｒ  ｆｌｕｉｄｆｕｈｒｅｎｄｅｒ  ｍｅｄｉｚｉｎｔｅｃｈｎｉｓｃｈｅｒ  Ｓｙｓｔｅｍｅ，ｓｏｗｉｅ  ｍｅｄｉｚｉｎｔｅｃｈｎｉｓｃｈｅ  Ｖｏｒｒｉｃｈｔｕｎｇ」［Ｃｏｎｎｅｃｔｉｏｎ  ｍｅａｎｓ  ａｎｄ  ｍｅｔｈｏｄ  ｆｏｒ  ｃｏｎｎｅｃｔｉｎｇ  ａｔ  ｌｅａｓｔ  ｔｗｏ  ｆｌｕｉｄ−ｃｏｎｄｕｃｔｉｎｇ  ｍｅｄｉｃａｌｔｅｃｈｎｉｃａｌ  ｓｙｓｔｅｍｓ，ａｓ  ｗｅｌｌ  ａｓ  ａ  ｍｅｄｉｃａｌ−ｔｅｃｈｉｎｉｃａｌ  ａｐｐａｒａｔｕｓ］を有する特許出願１０  ２００９  ０２４  ５７５．８に本発明の出願人によって開示される不正開封保護または再使用に対する防御を使用できることが好ましい。その関連する開示内容は参照することにより全体が本願に組み入れられる。
【０２６０】
カセットは、カセット１０００から代替物を出すためのコネクタ４３と、代替物をカセット１０００へ入れるためのコネクタ４５とを備える。
【０２６１】
コネクタ４３、４５は、代替物ポンプのポンプチューブセグメントまたはポンプチューブセットに接続されるように構成されている。
【０２６２】
カセット１０００は代替物の付加のための逆止弁４７を備える。
【０２６３】
代替物は、逆止弁４７を動作させることにより代替物導管４９内へ導入されてもよい。
【０２６４】
カセット１０００は事前希釈付加バルブ５１を備える。事前希釈付加バルブ５１は仮想バルブとして構成されてもよい。
【０２６５】
カセット１０００は事後希釈付加バルブ５３を備える。事後希釈付加バルブ５３は仮想バルブとして構成されてもよい。
【０２６６】
カセット１０００は単針殺菌膜５５を備える。
【０２６７】
カセット１０００は単針チャンバ５７を備える。図１では、単針チャンバ５７が静脈血液チャンバ２１の上側に配置される。
【０２６８】
単針チャンバ５７の内側には血液サージ変向要素５９が配置される。血液サージ変向要素５９は、血液サージを減速させおよび／またはその衝撃を解消するのに役立ってもよい。
【０２６９】
単針チャンバ５７の内側に対する接続は、２００９年６月１０日にドイツ特許商標局に出願された表題「Ｅｉｎｒｉｃｈｔｕｎｇ  ｓｏｗｉｅ  ｅｘｔｅｒｎｅ  Ｆｕｎｋｔｉｏｎｓｅｉｎｒｉｃｈｔｕｎｇ  ｕｎｄ  Ｂｅｈａｎｄｌｕｎｇｓｖｏｒｒｉｃｈｔｕｎｇ  ｚｕｍ  Ｂｅｈａｎｄｅｌｎ  ｖｏｎ  ｍｅｄｉｚｉｎｉｓｃｅｎ  Ｆｌｕｉｄｅｎ」［Ｄｅｖｉｃｅ  ａｎｄ  ｅｘｔｅｒｎａｌ  ｆｕｎｃｔｉｏｎａｌ  ｍｅａｎｓ  ａｎｄ  ｔｒｅａｔｍｅｎｔ  ａｐｐａｒａｔｕｓ  ｆｏｒ  ｔｈｅ  ｔｒｅａｔｍｅｎｔ  ｏｆ  ｍｅｄｉｃａｌ  ｆｌｕｉｄｓ］を有する特許出願１０  ２００９  ０２４  ４６７．０に本発明の出願人によって開示される接続手段によってなされてもよい。その関連する開示内容は参照することにより全体が本願に組み入れられる。
【０２７０】
カセット１０００は単針血液バルブ６１を備える。単針血液バルブ６１は仮想バルブとして構成されてもよい。
【０２７１】
カセット１０００は真空引き部位６３を備える。真空引き部位６３は、例えば、その関連する開示内容の全体が参照することにより本願に組み入れられる２００７年９月１０日にドイツ特許商標局に出願された表題「Ｖｏｒｒｉｃｈｔｕｎｇ  ｕｎｄ  Ｖｅｒｆａｈｒｅｎ  ｚｕｒ  Ｂｅｈａｎｄｌｕｎｇ  ｅｉｎｅｒ  ｍｅｄｉｚｉｎｉｓｃｈｅｎ  Ｆｌｕｓｓｉｇｋｅｉｔ」［Ａｐｐａｒａｔｕｓ  ａｎｄ  ｍｅｔｈｏｄ  ｆｏｒ  ｔｒｅａｔｉｎｇ  ａ  ｍｅｄｉｃａｌ  ｌｉｑｕｉｄ］を有する特許出願１０  ２００７  ０４２  ９６４  Ａ１に記載されるように血液処理機器に対するカセット１０００の真空結合に役立ってもよい。
【０２７２】
カセット１０００は主アライメントセンタ６５を備える。主アライメントセンタ６５は、血液処理機器に対してカセット１０００を位置合わせするおよび／または係止するのに有利に役立ってもよい。
【０２７３】
カセット１０００は副アライメント部位６７を備える。副アライメント部位６７は、血液処理機器に対してカセット１０００を位置合わせするおよび／または係止するのに役立てもよい。
【０２７４】
カセット１０００にはプライミングを始める前にガス（例えば殺菌空気）が満たされる。体外血液回路のプライミング中には、このガス充填が取って代えられなければならない。この場合、上昇導管および下降導管の両方が存在し、更には「エアネスト」が残存してはならないチャンバが存在するため、血液処理カセットは一般に特定の課題をもたらす。この目的のため、本カセット１０００には特別な構造特徴が設けられる。
【０２７５】
すなわち、動脈圧を測定するためのチャンバ１５は、空気全体がポンプチューブセグメントへ（例えば、ポンプチューブセグメント９０へ；例えば図４参照）上昇できるように構成される。有利には、デッドスペースは存在しない。動脈圧測定チャンバから血液ポンプのポンプチューブセグメントへ独りでに上昇する空気は、血液ポンプの係合範囲からポンプチューブセグメントを通じて（例えば、ローラポンプのローラによって）強制的に運ばれる。（例えばローラの離脱に起因して）ポンプが影響を及ぼすのを止めると直ぐに、空気が独りでにカセット１０００へ搬送方向に上昇する。
【０２７６】
静脈再循環導管（または、例えば図４に示される体外回路の静脈部９３）は下降導管である。特定の体積流量（例えば、図１に示されるカセット１０００の場合には２００ｍｌ／分）を発端として、血液中の気泡が重力加速度に抗して「同伴される」。この効果は下降導管で利用される。下降導管の導管断面は、重力加速度に抗する気泡の強制搬送が流速に起因してうまくいくような小さいサイズをもって設計される。
【０２７７】
静脈血液チャンバ２１では大きい断面が与えられ、それにより、気泡は、この場所に存在するゆっくりとしたあるいは低い流速に起因して流れの主方向に逆らってそこで確実に上昇できる。
【０２７８】
カセット１０００の更なる構造特徴は以下の通りである。
【０２７９】
仮想バルブ４０、５１、５３は、カセット１０００が血液で動作される間に血液（水または代替物などよりも高い密度を有する）が開放された仮想バルブに「上向きに」あるいは「横向きに」殆ど侵入できないように物理的に方向付けられる。これは、血液が軽い水と比べて下降するからである。そのような有利な方向付けは仮想バルブ４０、５１、５３を用いて実現される。一方、バルブ３６はそのような要件を伴わない。すなわち、そこでは方向付けが重大ではない。
【０２８０】
同じ理由のため、代替物を加えるための逆止弁４７の下側の導管通路（スタブ通路）が上昇態様で構成される。事前希釈および／または事後希釈バルブ５１、５３の故障、および、その結果として生じる血液のバイパス流の場合には、血液がもはや代替物導管４９へ上昇できない。血液は、むしろ、対応するスタブ導管の開口を通り過ぎて流れる。
【０２８１】
カセット１０００の傾きは、好ましくは５°〜１１°、特に好ましい態様では既に言及した８°である。
【０２８２】
図２は図１のカセット１０００を示しており、この場合、よりよく図示するために、フィルム３がカセット１０００の左縁および上下で破壊的に切り開かれて右へめくり開かれているのが分かる。
【０２８３】
図２に示されるように、フィルム３は表面テクスチャを有する。
【０２８４】
図２は、フィルム３を切り開いた後の更に詳しく見えるカセット１０００の内側の要素を示している。
【０２８５】
繰り返しを避けるため、図１の説明で論じた個々の要素の構成を参照されたい。
【０２８６】
ここで、明らかに分かるように、カセット１０００はシールバー６９を備える。シールバー６９は、例えば、事前希釈付加バルブ５１を実現するために使用されてもよい。
【０２８７】
図３はカセット１０００をその後側から示している。カセット１０００が血液処理機器に結合されると、カセット１０００を除去するために血液処理機器のドアを開放する観察者がこの後側を見る。
【０２８８】
カセット１０００は単針エアコネクタ７１を備える。このエアコネクタは、単針殺菌膜５５の支持グリッド（図示せず）を機器側および／または血液側で単針エアコネクタ７１に配置するために設けられてもよい。
【０２８９】
カセット１０００は幾つかの支持バーを備える。支持バーは例えばフィルム３の面に対して異なる高さを有する。支持バーは、図３の観察者に面するカセット１０００の側に突出され、すなわち、図３の紙面から突出される。
【０２９０】
カセット１０００は、５ｍｍの高さを有する支持バー７３と、８ｍｍの高さを有する支持バー７５と、１３ｍｍの高さを有する支持バー７７と、２４ｍｍの高さを有する支持バー７９と、３１ｍｍの高さを有する支持バー８１とを備える。無論、これらの数値および他の数値が単なる例にすぎないことは言うまでもない。
【０２９１】
支持バーは、血液処理機器に結合される状態で、カセットを受けるための血液処理機器の受入れ手段の蓋に対してカセットを支持する役目を果たしてもよい。血液処理機器に対するカセットのそのような結合の典型的な実施形態は、２００９年３月１０日にドイツ特許商標局に出願された表題「Ｖｏｒｒｉｃｈｔｕｎｇ  ｚｕｍ  Ｖｅｒｂｉｎｄｅｎ  ｅｉｎｅｒ  ｅｘｔｅｒｎｅｎ  Ｆｕｎｋｔｉｏｎｓｅｉｎｒｉｃｈｔｕｎｇ  ｍｉｔ  ｅｉｎｅｒ  Ａｎｏｒｄｎｕｎｇ，Ａｎｏｒｄｎｕｎｇ  ａｕｆｗｅｉｓｅｎｄ  ｅｉｎｅ  ｓｏｌｃｈｅ  ｖｏｒｒｉｃｈｔｕｎｇ  ｕｎｄ  Ｖｅｒｆａｈｒｅｎ  ｚｕｍ  Ｖｅｒｂｉｎｄｅｎ」［Ｄｅｖｉｃｅ  ｆｏｒ  ｃｏｎｎｅｃｔｉｎｇ  ａｎ  ｅｘｔｅｒｎａｌ  ｆｕｎｃｔｉｏｎａｌ  ｍｅａｎｓ  ｔｏ  ａｎ  ａｒｒａｎｇｅｍｅｎｔ，ａｒｒａｎｇｅｍｅｎｔ  ｉｎｃｌｕｄｉｎｇ  ａ  ｌｉｋｅ  ａｐｐａｒａｔｕｓ，ａｎｄ  ｃｏｎｎｅｃｔｉｎｇ  ｍｅｔｈｏｄ］を有する特許出願１０  ２００９  ０１２  ６３３．３で与えられ、その関連する開示内容は参照することにより全体が本願に組み入れられる。
【０２９２】
図３において、カセット１０００は、それが機械インタフェースに対するその結合後にユーザ／観察者によって見られるように示されている。機械に対するカセット１０００の傾きは「後方傾斜」を伴って実現され、それにより、上縁は、下縁よりもユーザ／観察者から更に離れて配置される。
【０２９３】
したがって、上方に面する静脈血液チャンバ２１および単針チャンバ５７の表面は、カセット１０００の傾きにもかかわらず気泡が依然として内側で確実に上昇し得るような傾きを有する。別の方法として、無論、カセットの傾きを何ら与えないカセット設計も基本的に可能である。
【０２９４】
以下では、図４〜図１６を参照することにより、血液処理方法において本発明の外部機能手段によって使用されてもよい本発明に係る異なるプロセスについて説明する。
【０２９５】
血液処理機器は、外部機能手段、例えば、図１〜図３で既に説明した要素を有する図１〜図３で論じたカセット１０００を備える。
【０２９６】
血液処理機器は、透析液体入口２００１と透析液体出口２００３とを有する透析手段２０００を更に備える。
【０２９７】
血液処理機器は体外回路３０００を更に備える。
【０２９８】
体外回路３０００は、動脈患者チューブクランプ８３と、静脈患者チューブクランプ８５とを備える。
【０２９９】
体外回路３０００は、ポンプチューブセグメント８８を有する血液ポンプ８７を備える。
【０３００】
体外回路３０００は、ポンプチューブセグメント９０を有する代替物ポンプ８９を備える。
【０３０１】
血液ポンプ８７および代替物ポンプ８９は、蠕動ポンプとして、例えば図示のようなローラポンプとして構成されてもよい。
【０３０２】
表現「搬送方向」または「流れの方向」は、血液処理中の通常の搬送方向、すなわち、患者から透析手段へ向かう浄化されるべき血液の搬送方向、および、透析手段から患者へ戻る浄化された血液の搬送方向を示す。図の紙面において、この搬送方向は反時計回り方向である。
【０３０３】
同様に、代替物の流れに関連する表現「搬送方向」または「流れの方向」は、代替物付加バルブ４１から体外回路３０００へ向かう血液処理中の代替物の通常の搬送方向を示す。
【０３０４】
この搬送方向に逆らって行なわれる流体（特に、血液および代替物）の搬送は、反対方向の搬送または流れとして定められる。
【０３０５】
体外回路３０００は動脈部９１と静脈部９３とを備える。
【０３０６】
体外回路３０００の動脈部９１は、患者の動脈接続のための部分、例えば動脈針から、カセット１０００を通じて、透析手段２０００の血液入口へ向けて延在する。動脈部９１は様々な構成要素を有する。つまり、患者の動脈接続部、動脈患者接続部７、動脈患者チューブクランプ８３、動脈圧測定チャンバ９、動脈事後または事前フィルタ圧測定部位を有するチャンバ１５、血液ポンプ８７のポンプチューブセグメント８８、動脈フィルタ導管１７、および、透析手段２０００の血液入口は全て、体外回路３０００の動脈部９１の一部である。
【０３０７】
体外回路３０００の静脈部９３は、透析手段２０００の血液出口から患者の静脈接続のための部分、例えば静脈針へ向けて延在する。静脈部９３は様々な構成要素を有する。つまり、透析手段２０００の血液出口、静脈フィルタ導管１９、静脈血液チャンバ２１、血栓トラップ２９、単針チャンバ５７、静脈患者接続部３１、静脈患者チューブクランプ８５、および、患者の静脈接続部は全て、体外回路３０００の静脈部９３の一部である。
【０３０８】
図４は、本発明の方法にしたがって利用された流体導管を充填するための予備プロセスまたはプライミングプロセスの実行中の段階を示している。
【０３０９】
体外回路３０００の動脈部９１および静脈部９３は互いに接続される。
【０３１０】
カセット１０００の事前希釈付加バルブ５１、事後希釈付加バルブ５３、および、単針血液バルブ６１は開放される。２つの患者チューブクランプ８３、８５も開放される。
【０３１１】
図４は、予備プロセスまたはプライミングプロセス中の瞬間状態または段階として描かれた形態を示している。
【０３１２】
代替物が代替物付加部位４１を介して体外回路３０００へ導入される。この目的のため、自動代替物コネクタが接続される。体外回路３０００の動脈部９１の動脈患者チューブおよび体外回路３０００の静脈部９３の静脈患者チューブは、例えば一方の患者チューブの一端から他方の患者チューブへの適切なアクセスを与える適したコネクタによって、血液処理機器の濯ぎポートに接続される。他方の患者チューブの端部は、濯ぎポートへの排出導管としての役目を果たす。あるいは、コネクタは、動脈または静脈患者導管、すなわち、動脈部９１または静脈部９３に配置されてもよい。
【０３１３】
静脈患者チューブクランプ８５が閉じられ、事後希釈付加バルブ５３が開かれ、事前希釈付加バルブ５１が閉じられる。
【０３１４】
静脈血液チャンバ２１の充填が事後希釈付加バルブ５３を介して代替物ポンプ８９によって行なわれる。ここで、空気の分離が単針血液バルブ６１を介して行なわれる。
【０３１５】
血液ポンプ８７は、順方向に動作して、静脈血液チャンバ２１から代替物を取り込みあるいは吸引する。
【０３１６】
静脈血液チャンバ２１の液位が下降すると、所定の充填レベルを超えたことを液位検出器が認識するまで事後希釈付加バルブ５３を介した補充が行なわれる。必要に応じて繰り返されるこのプロセス中、血液ポンプの連続動作が維持される。
【０３１７】
血栓トラップ２９が「下側から」脱気される。すなわち、３つの全てのカセットバルブ（５１、５３、６１）が閉じられる。動脈患者チューブクランプ８３が開かれ、また、静脈患者チューブクランプ８５が閉じられる。濯ぎポートが閉じられる。
【０３１８】
血液ポンプ８７は、少量を運ぶために短時間にわたって逆方向に動作する。これにより、静脈負圧および動脈過圧が体外回路３０００で生み出される。
【０３１９】
圧力平衡が確立される限りにわたって静脈患者チューブクランプ８５が開かれる。
【０３２０】
その後、体外回路３０００の充填が続けられる。
【０３２１】
静脈患者チューブクランプ８５のセンサ／検出器１１５、例えば静脈気泡検出器によって、気泡の発生が検出される。所定の時間間隔の過程で気泡がないことあるいは気泡が殆どないことが検出されると直ぐに、体外回路３０００が充填されていると見なされる。
【０３２２】
その後、充填された体外回路３０００が濯がれる。濯ぎ中、代替物が事前希釈付加バルブ５１を介して運ばれて濯ぎポート（「プラグバルブ９７」）を通じて廃棄される。
【０３２３】
プロセスでは、動脈患者チューブクランプ８３および静脈患者チューブクランプ８５の両方が開かれる。血液ポンプ８７は、逆方向に動作して、代替物の一部を濯ぎポートへ運ぶ。
【０３２４】
既に前述したように、オンライン充填のための別の方法（透析機で代替物がオンライン供給される）として、液体を充填するための供給源として生理食塩水溶液を収容する外部バッグを用いた充填を行なうこともできる。この目的を達成するため、体外回路３０００の動脈患者導管または動脈部９１は、生理食塩水溶液を収容するバッグに結合される。体外回路３０００の静脈患者導管または静脈部９３は、使用済み生理食塩水溶液のためのシンクとしてのいわゆる廃棄物バッグに結合される。血液ポンプ８７は順方向に動作する。事前希釈付加バルブ５１および事後希釈付加バルブ５３を開くことにより、これらの２つのバルブ間に配置される導管を充填することもできる。
【０３２５】
両方の方法では、所定の濯ぎ量に達してから患者が体外回路３０００に結合される。
【０３２６】
図５は、本発明の方法に係る濯ぎプロセスの段階を示している。
【０３２７】
体外回路３０００（この時点で閉じられている）内を循環する代替物を前処理後または充填後（プライミング）に体外回路から除去するため、プラグバルブ９７が開かれる。
【０３２８】
代替物ポンプ８９が再び作動される。事前希釈付加バルブ５１が開かれる。
【０３２９】
血液ポンプ８７および代替物ポンプ８９が代替物を体外回路３０００から排出導管９５を介して運ぶ。
【０３３０】
図５は、瞬間状態としてあるいは濯ぎプロセスの段階で描かれた形態を示している。
【０３３１】
血液ポンプ８７および代替物ポンプ８９が新しい代替物を絶えず運び、それにより、体外回路３０００が濯がれる。使用される代替物が廃棄される。
【０３３２】
血液ポンプ８７および代替物ポンプ８９はそれぞれ時計回り方向に運ぶ。血液ポンプ８７および代替物ポンプ８９は互いからオフセットして運んでもよい。代替物ポンプ８９は血液ポンプ８７よりも急速に回転してもよい。
【０３３３】
図６は、二本針アクセス９９によって第１の態様で本発明の方法にしたがって体外回路３０００に患者４０００を接続している段階を示している。全ての図が方法ステップを提供するように、図６も１つの段階を表わしているにすぎない。
【０３３４】
患者４０００を血液処理機器に対して結合するために、二本針アクセス９９が使用される。
【０３３５】
二本針アクセス９９は、固定部１０２、例えばスリーブ、テープなどを有する動脈針１０１と、固定部１０４、例えばスリーブ、テープなどを有する静脈針１０３とを備える。
【０３３６】
動脈針１０１はカセット１０００の動脈患者接続部７に接続される。静脈針１０３はカセットの静脈患者接続部３１に接続される。
【０３３７】
静脈針１０３は、患者４０００に配置されて動かないようにされあるいは固定される。動脈針１０１は、患者４０００に配置されて固定される。静脈針１０３は、動脈針１０１の前に患者４０００に接続されてもよい。
【０３３８】
充填の結果として、体外回路３０００が代替物で満たされる。事前希釈付加バルブ５１、事後希釈付加バルブ５３、および、単針血液バルブ６１が閉じられる。
【０３３９】
最初に、両方の患者チューブクランプ８３、８５が閉じられる。
【０３４０】
血液ポンプ８７が作動される。動脈患者チューブクランプ８３が開かれる。
【０３４１】
図６は、血液ポンプ８７を始動させる直前の動脈患者チューブクランプ８３が既に開放された瞬間の状態として描かれる形態を示している。
【０３４２】
血液は、患者４０００から動脈針１０１を介して体外回路３０００の動脈部９１へ運ばれるとともに、代替物を移動させるあるいは運ぶ。代替物は、透析手段２０００の透析液出口２００３を介して血液処理機器から運び出される。
【０３４３】
体外回路３０００の動脈部９１からの血液が透析手段２０００の血液入口１０５に達すると、動脈患者チューブクランプ８３が閉じられて、血液ポンプ８７が停止される。
【０３４４】
静脈患者チューブクランプ８５が開かれる。
【０３４５】
血液は、静脈針１０３を介して反対方向で体外回路３０００の静脈部９３に入る。血液ポンプ８７は作動されない。
【０３４６】
血液は、例えば、重力に起因して静脈部９３に入ってもよい。
【０３４７】
血液は、静脈部９３を通じて反対方向で流れて、血栓トラップ２９および静脈血液チャンバ２１に入る。血液は、静脈フィルタ導管１９を通じて流れて、血液出口１０７を通じて反対方向で透析手段２０００に入る。
【０３４８】
図７は、第２のモードの段階、または、患者４０００を血液処理機器に接続するための別のプロセスの段階である。
【０３４９】
患者４０００は、動脈針１０１および静脈針１０３によって体外回路３０００に接続される。
【０３５０】
動脈患者チューブクランプ８３および静脈患者チューブクランプ８５が開かれる。事前希釈付加バルブ５１、事後希釈付加バルブ５３、および、単針血液バルブ６１が閉じられる。
【０３５１】
代替物は体外回路３０００全体に存在する（単針チャンバ５７内を除く）。
【０３５２】
血液ポンプ８７が始動される。透析手段２０００はＯＮにされない。
【０３５３】
図７は瞬間状態として描かれる形態を示している。このとき、代替物のみが体外回路３０００に存在する。
【０３５４】
血液ポンプ８７を動作させることにより、血液は、患者４０００から動脈針１０１を介して体外回路３０００の動脈部９１へ運ばれる。血液は、透析手段２０００内へその血液入口１０５で流入し、そこから、透析手段２０００の血液出口１０７を通じて体外回路３０００の静脈部９３へ流れる。
【０３５５】
血液は、静脈フィルタ導管１９を介してカセット１０００に到達して、事後希釈付加バルブ５３の閉位置で静脈血液チャンバ２１に入る。この場合、血液は、静脈血液チャンバ２１の上側空間内に接線方向で流入してもよい。
【０３５６】
血液は、静脈血液チャンバ２１から、血栓トラップ２９を介してカセット１０００から出て、静脈患者接続部１０３を介して元の患者４０００へ達する。
【０３５７】
図８は、患者への二本針アクセスを使用する透析処理の段階を示している。
【０３５８】
動脈患者チューブクランプ８３および静脈患者チューブクランプ８５が開かれる。事前希釈付加バルブ５１、事後希釈付加バルブ５３、および、単針血液バルブ６１が閉じられる。
【０３５９】
図８は、血液ポンプ８７の動作下での透析処理中の瞬間状態として描かれる形態を示している。
【０３６０】
透析手段２０００が動作され、それにより、透析液が透析液入口２００１で透析手段２０００に入る。透析手段では、患者の血液の処理が行なわれる。透析液は透析液出口２００３で透析手段２０００から抜け出る。費やされた透析液は廃棄されあるいは浄化されてもよい。
【０３６１】
血液ポンプ８７は、患者４０００からの血液を動脈針１０１を介して体外回路３０００の動脈部９１へ運ぶ。この場合、血液はカセット１０００を通過して透析手段２０００へ運ばれる。
【０３６２】
プロセスでは、血液が透析液と反対の方向で透析手段２０００を通じて流れて浄化される。透析手段２０００の血液出口１０７では、浄化された血液が、透析手段２０００から出て、静脈フィルタ導管１９を通じてカセット１０００へ流れ込むとともに、静脈血液チャンバ２１および血栓トラップ２９に入って、静脈患者接続部３１でカセット１０００から出る。
【０３６３】
浄化された血液は、静脈患者接続部１０３を介して再び患者４０００へ戻される。
【０３６４】
代替物の供給は行なわれない。代替物ポンプ８９は動作されない。
【０３６５】
図９は、代替物による血液の事前希釈を使用した図８に表わされる血液処理プロセスの段階を示している（「オンラインＨＤＦ事前希釈」）。
【０３６６】
事前希釈付加バルブ５１が開かれる。事後希釈付加バルブ５３および単針血液バルブ６１が閉じられる。血液ポンプ８７が動作される。代替物ポンプ８９が始動される。代替物ポンプ８９が血液ポンプ８７と同期して動作されてもよい。
【０３６７】
記載された形態が図９に瞬間状態として表わされている。この場合、代替物が事前希釈付加バルブ５１と事後希釈付加バルブ５３との間に存在し、血液が残りの体外回路３０００を通じて流れる。
【０３６８】
代替物ポンプ８９は、事前希釈付加バルブ５１で体外回路３０００の動脈部９１に入り血液と混合してこれを浄化させる代替物を運ぶ。
【０３６９】
図１０は、代替物による血液の事後希釈を使用した図８に表わされる血液処理プロセスの段階を示している（「オンラインＨＤＦ事後希釈」）。
【０３７０】
事後希釈付加バルブ５３が開かれる。事前希釈付加バルブ５１および単針血液バルブ６１が閉じられる。血液ポンプ８７が動作される。代替物ポンプ８９が始動される。代替物ポンプ８９が血液ポンプ８７と同期して動作されてもよい。
【０３７１】
記載された形態が図１０に瞬間状態として表わされている。この場合、代替物が事前希釈付加バルブ５１と事後希釈付加バルブ５３との間に存在し、血液が残りの体外回路３０００を通じて流れる。
【０３７２】
代替物ポンプ８９は、事後希釈付加バルブ５３で体外回路３０００の静脈部９３に入り浄化された血液と混合する代替物を運ぶ。
【０３７３】
図１１および図１２は、代替物による血液の混合希釈を使用した図８に表わされる血液処理プロセスの段階を示している（「オンラインＨＤＦ混合希釈−切換型」）。表現「混合希釈」は、事前希釈または事後希釈によって交互に行なわれる代替物による血液の希釈を示す。
【０３７４】
図１１は、混合希釈の事前希釈区間を瞬間状態で示し、図１２は、混合希釈の事後希釈区間を瞬間状態で示している。
【０３７５】
図１１によって示されるプロセスは図９によって示されるプロセスの１つに対応し、図１２によって示されるプロセスは図１０のプロセスに対応する。血液ポンプ８７および代替物ポンプ８９は同期して回転する。血液ポンプ８７および代替物ポンプ８９は、例えば、図９および図１０に表わされるプロセスまたはプロセス段階における場合よりも速く回転してもよい。
【０３７６】
図１３は、患者への単針アクセスによる透析処理の段階のカセット１０００および体外回路３０００を示している（「カセット一体型単針」）。
【０３７７】
単針アクセス１０９は、患者４０００に配置されて、固定部１１０によって固定される。固定部１１０は、例えば、スリーブ、テープなどとして実現されてもよい。
【０３７８】
単針アクセス１０９は、体外回路３０００の動脈部９１および静脈部９３へ向かうＹ部品またはＹ形状分岐部１１１を備える。
【０３７９】
動脈患者チューブクランプ８３が開かれる。静脈患者チューブクランプ８５が最初に閉じられる。これは図１３に表わされていない。
【０３８０】
血液ポンプ８７が始動される。透析手段２０００が動作される。患者４０００からの血液は動脈部９１を通じて透析手段２０００へ運ばれる。透析手段２０００では血液が浄化される。浄化された血液は体外回路３０００の静脈部９３へ導入される。
【０３８１】
血液はカセット１０００の静脈血液チャンバ２１に入る。単針血液バルブ６１が開かれる。血液が単針チャンバ５７に流入する。
【０３８２】
単針チャンバ５７がほぼ満たされると、血液ポンプ８７が停止され、図１３に見られるように静脈患者チューブクランプ８５が開かれる。透析プロセスが停止される。
【０３８３】
血液は、カセット１０００、単針チャンバ５７、静脈血液チャンバ２１、および、血栓トラップ２９から重力によって排出されて、患者４０００へ再循環される。
【０３８４】
単針チャンバ２９から血液が抜かれて該チャンバがほぼ空にされると、血液ポンプ８７が再び始動される。
【０３８５】
血液処理のこの段階は必要に応じて繰り返される。
【０３８６】
図１４は、血液処理の終了後の血液再循環プロセスの第１の変形例の段階を示している。
【０３８７】
動脈患者チューブクランプ８３が開かれる。静脈患者チューブクランプ８５が閉じられる。代替物ポンプ８９が動作される。
【０３８８】
血液は体外回路３０００に存在する。代替物は代替物導管４９に存在する。
【０３８９】
事前希釈付加バルブ５１、事後希釈付加バルブ５３、および、単針血液バルブ６１が最初に閉じられる。
【０３９０】
事前希釈付加バルブ５１が開かれる。代替物は、体外回路３０００の動脈部９１を通じて透析手段２０００へ運ばれる。
【０３９１】
搬送方向に対して事前希釈付加バルブ５１の背後または上流側の体外回路３０００に存在する血液は、透析手段２０００および静脈部９３を通じて患者４０００へ運ばれる。
【０３９２】
代替物が静脈針１０３に達する直前に、代替物ポンプ８９が停止される。
【０３９３】
静脈患者チューブクランプ８５が開かれる。動脈患者チューブクランプ８３が閉じられる。
【０３９４】
図１４は、血液を移動させるために、開放された事前希釈付加バルブ５１を通じて代替物が体外回路３０００へ上流側に導入されるプロセス中の瞬間状態のカセット１０００の形態を示している。
【０３９５】
血液ポンプ８７および代替物ポンプ８９が動作される。血液ポンプ８７は、時計回り方向に回転し、したがって、搬送方向に逆らって回転する。代替物ポンプは反時計回り方向に回転する。血液ポンプ８７および代替物ポンプ８９は互いからオフセットして回転してもよい。
【０３９６】
代替物は、事後希釈付加バルブ５３から体外回路３０００の動脈部９１へ運ばれるとともに、血液ポンプ８７のポンプチューブセグメント８８を通じて患者４０００へ向けて運ばれる。代替物は、動脈部９１に存在する血液を動脈針１０１と事前希釈付加バルブ５１との間で移動させる。
【０３９７】
代替物が動脈針１０１に達する直前に、血液ポンプ８７および代替物ポンプ８９が停止される。
【０３９８】
図１５は別の血液再循環プロセスの段階を示している。
【０３９９】
動脈患者チューブクランプ８３および静脈患者チューブクランプ８５には、体外回路３０００の導管内部の光学密度の測定および代替物の出現の自動認識のためのそれぞれのセンサ／検出器１１３およびセンサ／検出器１１５が設けられる。他のおよび／または更なる適したセンサが使用されてもよい。センサおよび検出器は、単一部品としてあるいは別個の構成要素として実現されてもよい。
【０４００】
動脈針１０１の固定部１０２が解放され、動脈針１０１が引き抜かれる。動脈患者チューブクランプ８３が開かれる。事前希釈付加バルブ５１が閉じられる。
【０４０１】
静脈針１０３は患者４０００に接続されたままである。静脈患者チューブクランプ８５が閉じられる。
【０４０２】
血液ポンプ８７は、搬送方向で動作されて、血液を体外回路３０００の動脈部９１から運び出す。
【０４０３】
図１５には、プロセスの開始直後の状態を示すプロセスの対応する瞬間状態が示されている。
【０４０４】
センサ／検出器１１３は代替物の出現を認識する。血液は、それが事前希釈付加バルブ５１に達するまで運ばれる。その後、血液ポンプ８７が停止される。
【０４０５】
代替物ポンプ８９が始動される。動脈患者チューブクランプ８３が閉じられる。静脈患者チューブクランプ８５が開かれる。
【０４０６】
事前希釈付加バルブ５１が開かれる。代替物ポンプ８９は、静脈患者チューブクランプ８５のセンサ／検出器１１５が代替物の出現を認識するまで、体外回路３０００の動脈部９１、透析手段２０００、および、体外回路３０００の静脈部９３を通じて代替物を運ぶ。
【０４０７】
血液は、静脈針１０３を通じて元の患者４０００へ運ばれる。
【０４０８】
図１６は、排出プロセスの段階のカセット１０００および体外回路３０００を示している。
【０４０９】
患者はもはや処理機器に接続されない。体外回路３０００の動脈部９１および静脈部９３が互いに接続される。
【０４１０】
動脈患者チューブクランプ８３および静脈患者チューブクランプ８５が開かれる。瞬間状態の形態の図１６に示されるように、事前希釈付加バルブ５１および事後希釈付加バルブ５３が開かれる。
【０４１１】
代替物ポンプ８９を動作させることにより、空気が代替物付加部位４１を通じて体外回路３０００に導入される。空気は、開放された事前希釈付加バルブ５１および開放された事後希釈付加バルブ５３を通じて流れ、それにより、体外回路３０００に入る。
【０４１２】
空気は、体外回路３０００および透析手段２０００を通じて反対方向に流れる。
【０４１３】
事前希釈付加バルブ５１が閉じられ、血液ポンプ８７が動作される。血液ポンプ８７および代替物ポンプ８９は、空気をカセット１０００を通じて透析手段２０００へ搬送方向で運ぶ。空気は透析液出口２００３で抜け出る。
【０４１４】
血液を患者内へ再循環させおよび／または体外回路を空にするための更なる適した方法は、例えば、２００９年２月１１日にドイツ特許商標局に出願された表題「Ｖｅｒｆａｈｒｅｎ  ｚｕｍ  Ｅｎｔｆｅｒｎｅｎ  ｖｏｎ  Ｂｌｕｔ  ａｕｓ  ｅｉｎｅｍ  ｅｘｔｒａｋｏｒｐｏｒａｌｅｎ  Ｂｌｕｔｋｒｅｉｓｌａｕｆ  ｆｏｒ  ｅｉｎｅ  Ｂｅｈａｎｄｌｕｎｇｓｖｏｒｒｉｃｈｔｕｎｇ  ｎａｃｈ  Ｂｅｅｎｄｅｎ  ｅｉｎｅｒ  Ｂｌｕｔｂｅｈａｎｄｌｕｎｇｓｓｉｔｚｕｎｇ  ｕｎｄ  Ｖｏｒｒｉｃｈｔｕｎｇ  ｚｕｍ  Ａｕｓｆｕｈｒｅｎ  ｄｅｓｓｅｌｂｅｎ」［Ｍｅｔｈｏｄ  ｏｆ  ｒｅｍｏｖｉｎｇ  ｂｌｏｏｄ  ｆｒｏｍ  ａｎ  ｅｘｔｒａｃｏｒｐｏｒｅａｌ  ｂｌｏｏｄ  ｃｉｒｃｕｉｔ  ｆｏｒ  ａ  ｔｒｅａｔｍｅｎｔ  ａｐｐａｒａｔｕｓ  ｆｏｌｌｏｗｉｎｇ  ｔｅｒｍｉｎａｔｉｏｎ  ｏｆ  ａ  ｂｌｏｏｄ  ｔｒｅａｔｍｅｎｔ  ｓｅｓｓｉｏｎ，ａｎｄ  ａｐｐａｒａｔｕｓ  ｆｏｒ  ｐｅｒｆｏｒｍｉｎｇ  ｓａｉｄ  ｍｅｔｈｏｄ］を有する特許出願１０  ２００９  ００８  ３４６．４に記載されており、その関連する開示内容は参照することにより全体が本願に組み入れられる。
【０４１５】
また、そのような方法は、２００９年６月１０日にドイツ特許商標局に出願された表題「Ｖｅｒｆａｈｒｅｎ  ｚｕｍ  Ｅｎｔｆｅｒｎｅｎ  ｖｏｎ  Ｂｌｕｔ  ａｕｓ  ｅｉｎｅｍ  ｅｘｔｒａｋｏｒｐｏｒａｌｅｎ  Ｂｌｕｔｋｒｅｉｓｌａｕｆ，Ｂｅｈａｎｄｌｕｎｇｓｖｏｒｒｉｃｈｔｕｎｇ  ｓｏｗｉｅ  Ｓｃｈｌａｕｃｈｓｙｓｔｅｍ」［Ｍｅｔｈｏｄ  ｏｆ  ｒｅｍｏｖｉｎｇ  ｂｌｏｏｄ  ｆｒｏｍ  ａｎ  ｅｘｔｒａｃｏｒｐｏｒｅａｌ  ｂｌｏｏｄ  ｃｉｒｃｕｉｔ，ｔｒｅａｔｍｅｎｔ  ａｐｐａｒａｔｕｓ，ａｎｄ  ｔｕｂｉｎｇ  ｓｙｓｔｅｍ］を有する本出願人の特許出願１０  ２００９  ０２４  ６０６．１に記載されている。その関連する開示内容は参照することにより全体が本出願に組み入れられる。
【０４１６】
図１７は、更なる実施形態にしたがった本発明に係る外部機能手段１０００をその前側から見た簡略化された概略図で示している。その非常に多くの特徴に関して、図１７に示されるカセット１０００は、以下の全ての他の図においても同様に、図１〜図１６に示されるカセット１０００の実施形態に対応する。
【０４１７】
図１７に示されるカセット１０００の実施形態は、血液処理の前または終了後にカセット１０００を（有利には簡単におよび／または迅速に）組み立ておよび／または分解するためのハンドホールド１１７を備える。ハンドホールド１１７は、一般に多くの労力を必要とする分解においても使用できる。
【０４１８】
ハンドホールドは、工具によって作動されるように、すなわち、主としてあるいは専ら手作業で作動されないように設計することができる。
【０４１９】
また、図１７に示されるカセット１０００の実施形態は、抽出ポイントまたは充填ポスト１１９をそれぞれ備える。カセット１０００の充填ポスト１１９は、カセット１０００からの代替物の抽出またはサンプリングのそれぞれを行なうために設けることができる。
【０４２０】
充填ポスト１１９は、図１〜図１６に示される全ての構造およびラインに加えて設けることができる。
【０４２１】
充填ポスト１１９は、カセット１０００の通常の血液処理動作中に流体によってフラッシングされないように設けることができる。好ましくは、そのような場合、流体は、処理中に充填ポスト１１９を通じてカセット１０００から出ないあるいは充填ポスト１１９を通じてカセット１０００に入らない。
【０４２２】
本発明によれば、充填ポスト１１９は、図示の位置以外の位置に設けることもできる。
【０４２３】
本発明によれば、充填ポスト１１９は、例えば、例外的なケースでは、例えば代替物などの流体を抽出しあるいは除去するための部位または位置のそれぞれとしての役目を果たしてもよい。抽出された流体、例えば代替物は、随意的な手動戻りの際、あるいは動脈ラインを介した患者の脈管系への体外血液の動脈注入の際に、移動流体として使用できる。後者は、戻りに適した流体を充填ポストにより僅かな労力で得ることができるという点において、特定のラインの閉塞の場合またはカセット機能あるいは処理機器の機能の障害の場合に役に立ち得る。
【０４２４】
充填ポスト１１９は、様々な方法でカセット１０００に設けることができかつカセット１０００と接続できる。本発明に係る特定の実施形態において、充填ポストはカセット１０００のハウジング本体と一体で形成される。充填ポストは、カセットに注入されるルアーロック装置となることができあるいは該装置を備えることができる。
【０４２５】
本発明に係る幾つかの実施形態において、充填ポストはバルブ、特に切り換え可能なバルブを備える。
【０４２６】
本発明に係る特定の実施形態において、充填ポストは、流体を代替物に加えるのにも適しかつそのために設けられる。
【０４２７】
図１７の外部機能手段１０００は固定部１２１、１２３を更に備える。２つ以外の任意の数で設けられてもよいチューブ固定部１２１、１２３は、特定の実施形態では、例えばカセット１０００の結合中に処理機器のドア開放に耐え抜くことにより、カセット１０００の取り扱い中にカセットを使用するために必要とされるチューブの破壊または損傷を防止することができ有益である。
【０４２８】
参照符号１２５は、例えば、２００９年６月１０日にドイツ特許商標局に出願された表題「Ｖｅｎｔｉｌｖｏｒｒｉｃｈｔｕｎｇ，Ｖｅｎｔｉｌｅｉｎｓａｔｚ，ｅｘｔｅｒｎｅ  Ｆｕｎｋｔｉｏｎｓｅｉｎｒｉｃｈｔｕｎｇ，Ｂｅｈａｎｄｌｕｎｇｓｖｏｒｒｉｃｈｔｕｎｇ  ｓｏｗｉｅ  Ｖｅｒｆａｈｒｅｎ」［Ｖａｌｖｅ  ｄｅｖｉｃｅ，ｖａｌｖｅ  ｉｎｓｅｒｔ，ｅｘｔｅｒｎａｌ  ｆｕｎｃｔｉｏｎａｌ  ｍｅａｎｓ，ｔｒｅａｔｍｅｎｔ  ａｐｐａｒａｔｕｓ，ａｎｔ  ｍｅｔｈｏｄ］を有する本発明の出願人の特許出願１０  ２００９  ０２４  ４６９．７に開示されるように設計される戻止め弁または逆止弁を示す。
【０４２９】
戻止め弁１２５は静脈ラインの付加バルブであってもよい。
【０４３０】
図１７はヘパリン付加部位１２７を更に開示する。図１７の典型的な実施形態において、ヘパリン付加部位は、単針チャンバ５７の上側でかつ静脈血液チャンバ２１の上側におけるカセット１０００の上側領域に配置される。
【０４３１】
ヘパリン付加部位１２７は、簡潔にヘパリンライン１２８と称されるヘパリンのための供給ラインと流体連通する。図１７の実施形態において、ヘパリンライン１２８は、静脈血液チャンバ２１が始まるカセット１０００のレベルに達するまでヘパリン付加部位１２７から下方へ延在する。
【０４３２】
また、図１７は、カセット１０００が、下縁領域Ｕに、例えば血栓トラップ２９の近傍にあるいは下側にあまり機能を同等に及ぼさない構造（ｃｏｍｐａｒａｂｌｙ  ｌｅｓｓ  ｆｕｎｃｔｉｏｎ  ｅｘｅｒｔｉｎｇ  ｓｔｒｕｃｔｕｒｅｓ）を備えることを示す。これは、例えば処理機器、そのドア、または、他の装置あるいは手段などとそれぞれ接続される測定装置などとカセット１０００との結合を可能にする空間を、カセット１０００の下縁領域Ｕにもたらす。そのような測定装置は、動脈および／または静脈温度センサ、気泡検出器、光学密度を測定するためのセンサなどであってもよい。
【０４３３】
したがって、このように必要とされる空間を設け、それに伴って前述したあるいは他のセンサを空間に設ける可能性を与えることは、プロセス安全性に寄与し、このようにして患者の危険を排除できる。
【０４３４】
空間Ｕをカセット１０００の他の部分または領域に設けることもできることは明らかである。同様に、複数のそのような空間を設けることもできる。好ましくは、そのような空間は、カセット１０００の境界領域または縁領域または端領域に設けられ、および／または供給ラインまたは排出ラインにあるいはそれに近接して設けられる。想定し得るセンサのそのような好ましい位置に起因して、空間は、直接的にあるいは間接的に、アクセス性を高めること、人間工学的態様を改善すること、および、例えば前述したセンサと分析装置とをそれぞれ接続しあるいは結合する（短い信号ライン）ためのコストを低減することにも役立つ。
【０４３５】
図１８は、図１７の領域Ａの拡大表示を概略的な簡略化された態様で示している。拡大表示の図１８に示される戻止め弁１２５は、例えば、それが処理の終了後に代替物をフラッシングできるように代替物の事後希釈付加のためのバルブとしてカセット１０００に組み込むことができる。このように、この構成を使用することにより、戻止め弁の近傍でカセット１０００のプライミングおよび濯ぎ中にキャビティを更に効率的な方法で通気することができ有益である。血液処理の終了後にカセット１０００を空にした後に目に見える血液残留物の残存を回避することができ有益である。したがって、これは、随意的に、血液残留物の場合にカセット１０００をその使用後に処分する際の第三者の汚染リスクの低減に寄与できる。戻止め弁１２５は、特にカセット１０００の従来の使用中に人の支援を伴うことなくフラッシングされるように配置されるのが好ましい。
【０４３６】
また、図１８は、仮想バルブ１２９および仮想バルブ１３０を示している。仮想バルブは出願の他の部分で特定される。詳細については、これらの部分を参照されたい。
【０４３７】
図１９は、実質的にその後側から見た僅かに斜視的な図で表わされる更なる実施形態の本発明に係る外部機能手段を概略的に簡略化された図で示している。
【０４３８】
他の図に関して既に前述した構造に加えて、図１９に示されるカセット１０００の実施形態は、隔壁を備える付加部位１３１を更に備える。隔壁を備える付加部位１３１（簡潔に隔壁付加部位と称される）は、図１９に示される実施形態では、カセット１０００の上縁またはエッジのレベルにそれぞれ配置される。図１９の上縁は、カセット１０００の上側領域の１つの例である。
【０４３９】
図２０は、図１９の表示部分Ｂを拡大して概略的に簡略化された図で示している。
【０４４０】
図２１は、実質的にその前側から見た僅かに斜視的な図で表わされる更なる実施形態の本発明に係る外部機能手段を概略的に簡略化された図で示している。
【０４４１】
例えば図１７の実施形態以外で、カセット１０００は、この更なる実施形態では、充填ポスト（そこでは参照符号１１９で示される）を備えていない。
【０４４２】
図２２は、図２１の表示部分Ａを拡大して概略的に簡略化された図で示している。図１８の構成とは異なる仮想バルブの構成をよく確認することができる。異なる構成が異なるフラッシング能力をもたらすことができる。
【０４４３】
図２３は、図２１の図の部分Ｂの更なる細部を概略的に簡略化された図で示している。
【０４４４】
図２３から分かるように、静脈血液チャンバ２１は、静脈血液チャンバ２１の内壁および／または外壁の窪み１３３または収縮部または傾き変更部または減損部あるいは非対称性を備える。図２１および図２３の両方において、窪み１３３は、静脈血液チャンバ２１の右縁および前側に示されている。
【０４４５】
窪み１３３は、少なくとも供給ラインに面する側に存在することができる。
【０４４６】
窪み１３３は、静脈チャンバの硬質部の外周の一部または全周に存在することができる。
【０４４７】
血液カセット１０００の使用位置では、窪み１３３を略水平に配置することができる。
【０４４８】
特定の実施形態において、窪み１３３は、静脈血液チャンバ２１の一部またはその壁の外周および／または直径の変更部に対応しあるいは該変更部を備えることができる。
【０４４９】
本発明に係る幾つかの実施形態では、水平部分に関して（図２１のカセット１０００またはカセット１０００のその使用中の構成の描写に関して）、窪み１３３は、（窪み１３３のレベルで）静脈血液チャンバ２１の非半円直径となることができあるいは非半円直径を備えることができる。
【０４５０】
本発明に係る特定の実施形態において、窪み１３３は、特に図２１の描写の上下方向でのチャンバの断面の減少部であってもよい。
【０４５１】
本発明に係る幾つかの実施形態において、窪み１３３は、特に図２１の描写の上下方向における、静脈血液チャンバ２１の大きい断面または大きい断面積が静脈血液チャンバ２１の小さい断面または小さい断面積を通り越す移行域または部分であってもよい。
【０４５２】
本発明に係る特定の実施形態において、窪み１３３は、特に図２１の描写の上下方向における、静脈血液チャンバ２１の外周の一部に沿って延在する凹みであってもよい。
【０４５３】
特定の実施形態において、窪み１３３は、上下方向での図２１の描写に関して静脈血液チャンバ２１の非対称形態をもたらすことができる。
【０４５４】
静脈血液チャンバ２１の断面全体に沿って部分的にあるいは全体的に延在することができる窪み１３３は、驚くべきことに、静脈血液チャンバ２１内で泡立ちあるいは発泡のそれぞれの減少をもたらした。
【０４５５】
単針バルブの形状を随意的に最適化することもできた窪み１３３によって達成される静脈血液チャンバ２１の形状の最適化により、本発明の特定の実施形態では、処理の開始前に改良された通気を達成することができる。また、本発明に係る幾つかの実施形態では、改良された蒸気流を殺菌中に得ることができる。更に、本発明に係る特定の実施形態では、そこからもたらされる既知の利点を備える渦水空間または領域の減少を得ることができる。
【０４５６】
図２４は、カセット１０００の形態を成す本発明に係る外部機能手段を下側および前側から見た斜視図で概略的に簡略化して示している。
【０４５７】
図２５は、図２４の表示部分Ｃを拡大して概略的に簡略化された図で示している。図示のように、単針（ＳＮ）バルブのバルブシート１３５は、カセット１０００のハウジング本体の近接または隣接バーあるいは部分と比べて下降されている。これにより、発明者は、乱流の形成を回避するあるいは減少させることができるだけでない流体の利点を得ることができる。下降は例えば０．５ｍｍであってもよい。
【０４５８】
図２６は、図２４の表示部分Ｄを拡大して概略的に簡略化された図で示している。図２６から分かるように、仮想バルブのバルブシート１３７、１３９は、カセット１０００のハウジング本体の近接または隣接バーあるいは部分に対して下降されている。下降は例えば０．５ｍｍであってもよい。
【図１】
2018008066.tif 000003
【図２】
2018008066.tif 000004
【図３】
2018008066.tif 000005
【図４】
2018008066.tif 000006
【図５】
2018008066.tif 000007
【図６】
2018008066.tif 000008
【図７】
2018008066.tif 000009
【図８】
2018008066.tif 000010
【図９】
2018008066.tif 000011
【図１０】
2018008066.tif 000012
【図１１】
2018008066.tif 000013
【図１２】
2018008066.tif 000014
【図１３】
2018008066.tif 000015
【図１４】
2018008066.tif 000016
【図１５】
2018008066.tif 000017
【図１６】
2018008066.tif 000018
【図１７】
2018008066.tif 000019
【図１８】
2018008066.tif 000020
【図１９】
2018008066.tif 000021
【図２０】
2018008066.tif 000022
【図２１】
2018008066.tif 000023
【図２２】
2018008066.tif 000024
【図２３】
2018008066.tif 000025
【図２４】
2018008066.tif 000026
【図２５】
2018008066.tif 000027
【図２６】
2018008066.tif 000028
【手続補正書】
【提出日】平成29年8月22日(2017.8.22)
【手続補正１】
【補正対象書類名】特許請求の範囲
【補正対象項目名】全文
【補正方法】変更
【補正の内容】
【特許請求の範囲】
【請求項１】
少なくとも１つのハウジング本体と、
医療用流体を受けるために前記ハウジング本体に組み込まれる少なくとも１つのチャンバ（９、１５、２１、５７）と、
医療用流体を受けるおよび／または伝導するために前記ハウジング本体に組み込まれる少なくとも１つの通路（１７、１９、４９）と、
外部機能手段を通じて流れる流体を制御しまたは調整するために前記ハウジング本体に全体的にまたは部分的に組み込まれる少なくとも１つのバルブ手段（３５、３６、３９、４０、４７、５１、５３、６１）と、
を備え、
少なくとも１つの一体型の前記バルブ手段（３５、３６、３９、４０、４７、５１、５３、６１）の一部であるカバー手段をその表面の少なくとも１つに備え、
前記カバー手段が、その少なくとも一部が摩擦によっておよび／または形状閉塞によっておよび／または材料接続によって前記ハウジング本体に接続され、
血液処理のためのカセット（１０００）として構成され、該カセットが動脈圧測定チャンバ（９）と圧力測定するための圧力測定部位を含む動脈チャンバ（１５）とを備える、外部機能手段。
【請求項２】
前記動脈圧測定チャンバ（９）が、前記外部機能手段の使用中において、前記動脈チャンバ（１５）の下方に配置されている、請求項１に記載の外部機能手段。
【請求項３】
前記動脈圧測定チャンバ（９）が、ケーブルの媒介によりまたは無線態様で信号を送信するセンサを含む、請求項１または２に記載の外部機能手段。
【請求項４】
前記カバー手段がフィルム（３）である、請求項１〜３のいずれか一項に記載の外部機能手段。
【請求項５】
前記動脈チャンバ（１５）において圧力はフィルム（３）にわたってまたはフィルム（３）を介して測定される、請求項４に記載の外部機能手段。
【請求項６】
少なくとも１つのポンプチューブセグメント（８８、９０）を備える、または、少なくとも１つのポンプチューブセグメント（８８、９０）を受けるように構成されあるいは設けられている、請求項１〜５のいずれか一項に記載の外部機能手段。
【請求項７】
前記ポンプチューブセグメント（８８、９０）は、蠕動ポンプ、特に、ローラポンプに係合するポンプチューブセグメントである、請求項６に記載の外部機能手段。
【請求項８】
前記カセット（１０００）が、少なくとも１つのポンプチューブセグメント（８８）を受けるように構成されているか設けられているとともに、前記カセットから血液を出すためのコネクタ（１１）および前記カセットへ血液を入れるためのコネクタ（１３）を備えており、
前記両コネクタ（１１、１３）は、血液ポンプ（８７）の前記ポンプチューブセグメント（８８）に接続されるように構成されている、請求項６または７に記載の外部機能手段。
【請求項９】
血液ポンプ（８７）に係合する前記動脈圧測定チャンバ（９）が、デッドスペースが生じずに空気全体が独りでに前記ポンプチューブセグメント（８８）に上昇するように設けられている、請求項１〜８のいずれか一項に記載の外部機能手段。
【請求項１０】
前記動脈圧測定チャンバ（９）は、前記動脈圧測定チャンバ（９）から前記ポンプチューブセグメント（８８）へ独りでに上昇する空気が血液ポンプ（８７）の係合範囲から前記ポンプチューブセグメント（８８）を通じて強制的に運ばれ、かつ、前記血液ポンプ（８７）が影響を及ぼすのを止めると直ぐに空気が独りでにカセット（１０００）へ搬送方向に上昇するように設けられている、請求項６〜９のいずれか一項に記載の外部機能手段。
【請求項１１】
前記ポンプチューブセグメント（８８）が、前記動脈圧測定チャンバ（９）と前記動脈チャンバ（１５）との間で交差するように案内されている、請求項６〜１０のいずれか一項に記載の外部機能手段。
【請求項１２】
前記動脈圧測定チャンバ（９）が、前記ポンプチューブセグメント（８８）の上流側に配置されている、請求項６〜１１のいずれか一項に記載の外部機能手段。
【請求項１３】
前記動脈チャンバ（１５）が、血液ポンプ（８７）と係合する前記ポンプチューブセグメント（８８）の下流側に配置されている、請求項６〜１２のいずれか一項に記載の外部機能手段。
【請求項１４】
前記ポンプチューブセグメント（８８、９０）が前記外部機能手段の横側に配置されている、請求項６〜１３のいずれか一項に記載の外部機能手段。
【請求項１５】
１回使用された後に処分される使い捨て物品である、請求項１〜１４のいずれか一項に記載の外部機能手段。
【請求項１６】
前記カバー手段が、少なくとも１つの外周溶着部（５）によって前記ハウジング本体に接続される、請求項１〜１５のいずれか一項に記載の外部機能手段。
【請求項１７】
前記カバー手段が、更なる非外周溶着部またはドット形状溶着部または局所的な溶着部によって前記ハウジング本体に接続される、請求項１〜１６のいずれか一項に記載の外部機能手段。
【請求項１８】
前記カバー手段が、２つの側でまたは双方で、外部機能手段の少なくとも１つの構造体、特に前記ハウジング本体と接続される、請求項１〜１７のいずれか一項に記載の外部機能手段。
【請求項１９】
体外回路（３０００）に流体連通状態で接続されるための接続部を備える、請求項１〜１８のいずれか一項に記載の外部機能手段。
【請求項２０】
内部に収容される前記体外回路（３０００）の部分に、少なくとも１つの動脈カセット一体型チャンバと少なくとも１つの静脈カセット一体型チャンバとを備え、前記体外回路に存在する動脈圧および／または静脈圧をフィルム（３）として構成されたカバー手段の媒介によって測定できる、請求項１９に記載の外部機能手段。
【請求項２１】
前記体外回路（３０００）の外部透析手段（２０００）の上流側および下流側に配置されたカセット一体型圧力測定部位を備える、請求項１９または２０に記載の外部機能手段。
【請求項２２】
前記ハウジング本体に形成される少なくとも１つのバーと前記カバー手段の少なくとも一部とを備える少なくとも１つのバルブ手段（３６、４０、５１、５３、６１）を備え、前記バーおよび前記カバー手段が、血液処理機器の作用体によって動作されるように配置されており、前記作用体は前記カバー手段を介して前記バーに作用して流体の通路を変える、請求項１〜２１のいずれか一項に記載の外部機能手段。
【請求項２３】
少なくとも一つの弁手段が逆止弁（３５、３９、４７）として設計されている、請求項１〜２２のいずれか一項に記載の外部機能手段。
【請求項２４】
受入れ手段により、特に垂直線に対してほぼ８°または正確に８°の傾き角度で、血液処理機器に結合されるように構成されている、請求項１〜２３のいずれか一項に記載の外部機能手段。
【請求項２５】
接触保護要素および／または滴下保護要素を有する少なくとも１つの代替物付加部位（４１）を備える、請求項１〜２４のいずれか一項に記載の外部機能手段。
【請求項２６】
滴下保護要素が一体型閉塞スリーブによって実現される、請求項２５に記載の外部機能手段。
【請求項２７】
前記ハウジング本体が硬質部（１）として構成される、請求項１〜２６のいずれか一項に記載の外部機能手段。
【請求項２８】
請求項１〜２７のいずれか一項に記載の少なくとも１つの外部機能手段を受けるように構成されることを特徴とする、特に透析機器のような血液処理機器。
【請求項２９】
前記外部機能手段の体外回路に存在するパラメータ、特に圧力または差圧を測定する制御手段を備える、請求項２８に記載の血液処理機器。
【請求項３０】
前記外部機能手段を駆動させるおよび／または動作させるための少なくとも１つの制御手段および／または作用体および／またはセンサと、
少なくとも１つの外部機能手段を受けるための少なくとも１つの受入れ手段と
を備え、
前記受入れ手段が前記外部機能手段を結合するための結合面を備える、請求項２８または２９に記載の血液処理機器。
【請求項３１】
前記結合面が、血液処理機器のその使用中の方向に対するまたは地球の中心に対する垂直線に対して所定の角度で傾けられ、
前記角度が、５〜１１°、特にほぼ８°または正確に８°である、請求項３０に記載の血液処理機器。
【請求項３２】
請求項１〜２７のいずれか一項に記載の外部機能手段の使用によって特徴付けられる、外部機能手段を充填する、プライミングするまたは濯ぐための方法。
【手続補正２】
【補正対象書類名】明細書
【補正対象項目名】０００１
【補正方法】変更
【補正の内容】
【０００１】
本発明は請求項１に係る外部機能手段に関する。また、本発明は、請求項２８に係る血液処理機器、および、請求項３２に係る方法に関する。
【手続補正３】
【補正対象書類名】明細書
【補正対象項目名】００５８
【補正方法】変更
【補正の内容】
【００５８】
本発明の目的は、請求項２８に係る本発明の血液処理機器によっても達成される。
【手続補正４】
【補正対象書類名】明細書
【補正対象項目名】００９２
【補正方法】変更
【補正の内容】
【００９２】
本発明の目的は、請求項３２に係る本発明の方法によって更に達成される。以下、方法について説明する。
【手続補正５】
【補正対象書類名】明細書
【補正対象項目名】０２７５
【補正方法】変更
【補正の内容】
【０２７５】
すなわち、動脈圧を測定するためのチャンバ９は、空気全体がポンプチューブセグメントへ（例えば、ポンプチューブセグメント８８へ；例えば図４参照）上昇できるように構成される。有利には、デッドスペースは存在しない。動脈圧測定チャンバから血液ポンプのポンプチューブセグメントへ独りでに上昇する空気は、血液ポンプの係合範囲からポンプチューブセグメントを通じて（例えば、ローラポンプのローラによって）強制的に運ばれる。（例えばローラの離脱に起因して）ポンプが影響を及ぼすのを止めると直ぐに、空気が独りでにカセット１０００へ搬送方向に上昇する。
【外国語明細書】
2018008066000001.pdf